(57)【特許請求の範囲】
【請求項１】
ワイヤレス通信システム中でデータを送る方法において、
送信機の第１の送信アンテナのために使用する第１の直交リソースを決定することと、なお、前記第１の直交リソースは、第１の基準信号シーケンスおよび少なくとも１つの第１の直交シーケンスを使用して第１の基準信号を発生させる、
前記送信機の第２の送信アンテナのために使用する第２の直交リソースを決定することと、なお、前記第２の直交リソースは、第２の基準信号シーケンスおよび少なくとも１つの第２の直交シーケンスを使用して第２の基準信号を発生させる、
前記第１の直交リソースを使用して、前記第１の送信アンテナから送信する第１の組の少なくとも１つの変調シンボルおよび前記第１の基準信号を処理することと、
前記第２の直交リソースを使用して、前記第２の送信アンテナから送信する第２の組の少なくとも１つの変調シンボルおよび前記第２の基準信号を処理することとを含む方法。
【請求項２】
前記第１の基準信号シーケンスは、第１のサイクリックシフトに関係付けられ、前記第２の基準信号シーケンスは、第２のサイクリックシフトに関係付けられている請求項１記載の方法。
【請求項３】
前記第１の直交リソースは、前記第１の基準信号シーケンスと、前記第１の直交シーケンスおよび少なくとも１つの追加の直交シーケンスを含む第１の組の直交シーケンスとを含む第１の組のシーケンスを備え、前記第２の直交リソースは、前記第２の基準信号シーケンスと、前記第２の直交シーケンスおよび少なくとも１つの他の直交シーケンスを含む第２の組の直交シーケンスとを含む第２の組のシーケンスを備える請求項１記載の方法。
【請求項４】
チャネル品質インジケータ（ＣＱＩ）情報、または、肯定応答（ＡＣＫ）情報、または、スケジューリング要求、あるいは、これらの組合せに基づいて、前記第１および第２の組の少なくとも１つの変調シンボルを発生させることをさらに含む請求項１記載の方法。
【請求項５】
肯定応答（ＡＣＫ）情報の少なくとも１つのビットに基づいて、前記第１の組の少なくとも１つの変調シンボルを発生させることと、
ＡＣＫ情報の少なくとも１つの追加のビットに基づいて、前記第２の組の少なくとも１つの変調シンボルを発生させることとをさらに含む請求項１記載の方法。
【請求項６】
情報ビットに基づいて、前記第１の組の少なくとも１つの変調シンボルを発生させることと、
前記情報ビットをインターリーブして、インターリーブされたビットを取得することと、
前記インターリーブされたビットに基づいて、前記第２の組の少なくとも１つの変調シンボルを発生させることとをさらに含む請求項１記載の方法。
【請求項７】
少なくとも１つの情報ビットをエンコードして、コードビットを取得することと、
前記コードビットの第１の部分集合に基づいて、前記第１の組の少なくとも１つの変調シンボルを発生させることと、
前記コードビットの第２の部分集合に基づいて、前記第２の組の少なくとも１つの変調シンボルを発生させることとをさらに含む請求項１記載の方法。
【請求項８】
少なくとも１つの情報ビットに基づいて、前記第１の組の少なくとも１つの変調シンボルを発生させることと、
少なくとも１つの追加の情報ビットに基づいて、前記第２の組の少なくとも１つの変調シンボルを発生させることとをさらに含む請求項１記載の方法。
【請求項９】
第１の組の重みを第１の組の物理アンテナに適用して、前記第１の送信アンテナを形成することと、
第２の組の重みを第２の組の物理アンテナに適用して、前記第２の送信アンテナを形成することとをさらに含む請求項１記載の方法。
【請求項１０】
ワイヤレス通信のための装置において、
送信機の第１の送信アンテナのために使用する第１の直交リソースを決定する手段と、なお、前記第１の直交リソースは、第１の基準信号シーケンスおよび少なくとも１つの第１の直交シーケンスを使用して第１の基準信号を発生させる、
前記送信機の第２の送信アンテナのために使用する第２の直交リソースを決定する手段と、なお、前記第２の直交リソースは、第２の基準信号シーケンスおよび少なくとも１つの第２の直交シーケンスを使用して第２の基準信号を発生させる、
前記第１の直交リソースを使用して、前記第１の送信アンテナから送信する第１の組の少なくとも１つの変調シンボルおよび前記第１の基準信号を処理する手段と、
前記第２の直交リソースを使用して、前記第２の送信アンテナから送信する第２の組の少なくとも１つの変調シンボルおよび前記第２の基準信号を処理する手段と
を具備する装置。
【請求項１１】
少なくとも１つの情報ビットをエンコードして、コードビットを取得する手段と、
前記コードビットの第１の部分集合に基づいて、前記第１の組の少なくとも１つの変調シンボルを発生させる手段と、
前記コードビットの第２の部分集合に基づいて、前記第２の組の少なくとも１つの変調シンボルを発生させる手段とをさらに具備する請求項１０記載の装置。
【請求項１２】
少なくとも１つの情報ビットに基づいて、前記第１の組の少なくとも１つの変調シンボルを発生させる手段と、
少なくとも１つの追加の情報ビットに基づいて、前記第２の組の少なくとも１つの変調シンボルを発生させる手段とをさらに具備する請求項１０記載の装置。
【請求項１３】
ワイヤレス通信のための装置において、
送信機の第１の送信アンテナのために使用する第１の直交リソースを決定し、なお、前記第１の直交リソースは、第１の基準信号シーケンスおよび少なくとも１つの第１の直交シーケンスを使用して第１の基準信号を発生させる、
前記送信機の第２の送信アンテナのために使用する第２の直交リソースを決定し、なお、前記第２の直交リソースは、第２の基準信号シーケンスおよび少なくとも１つの第２の直交シーケンスを使用して第２の基準信号を発生させる、
前記第１の直交リソースを使用して、前記第１の送信アンテナから送信する第１の基準信号を処理し、
前記第２の直交リソースを使用して、前記第２の送信アンテナから送信する第２の基準信号を処理するように構成されている少なくとも１つのプロセッサを具備する装置。
【請求項１４】
前記少なくとも１つのプロセッサは、少なくとも１つの情報ビットをエンコードして、コードビットを取得し、前記コードビットの第１の部分集合に基づいて、前記第１の組の少なくとも１つの変調シンボルを発生させ、前記コードビットの第２の部分集合に基づいて、前記第２の組の少なくとも１つの変調シンボルを発生させるように構成されている請求項１３記載の装置。
【請求項１５】
前記少なくとも１つのプロセッサは、少なくとも１つの情報ビットに基づいて、前記第１の組の少なくとも１つの変調シンボルを発生させ、少なくとも１つの追加の情報ビットに基づいて、前記第２の組の少なくとも１つの変調シンボルを発生させるように構成されている請求項１３記載の装置。
【請求項１６】
コンピュータプログラムにおいて、
少なくとも１つのプロセッサに、送信機の第１の送信アンテナのために使用する第１の直交リソースを決定させるためのコードと、なお、前記第１の直交リソースは、第１の基準信号シーケンスおよび少なくとも１つの第１の直交シーケンスを使用して第１の基準信号を発生させる、
前記少なくとも１つのプロセッサに、前記送信機の第２の送信アンテナのために使用する第２の直交リソースを決定させるためのコードと、なお、前記第２の直交リソースは、第２の基準信号シーケンスおよび少なくとも１つの第２の直交シーケンスを使用して第２の基準信号を発生させる、
前記少なくとも１つのプロセッサに、前記第１の直交リソースを使用して、前記第１の送信アンテナから送信する第１の組の少なくとも１つの変調シンボルおよび前記第１の基準信号を処理させるためのコードと、
前記少なくとも１つのプロセッサに、前記第２の直交リソースを使用して、前記第２の送信アンテナから送信する第２の組の少なくとも１つの変調シンボルおよび前記第２の基準信号を処理させるためのコードと
を含むコンピュータプログラム。
【請求項１７】
コンピュータ読み取り可能な記憶媒体において、
少なくとも１つのプロセッサに、送信機の第１の送信アンテナのために使用する第１の直交リソースを決定させるためのコードと、なお、前記第１の直交リソースは、第１の基準信号シーケンスおよび少なくとも１つの第１の直交シーケンスを使用して第１の基準信号を発生させる、
前記少なくとも１つのプロセッサに、前記送信機の第２の送信アンテナのために使用する第２の直交リソースを決定させるためのコードと、なお、前記第２の直交リソースは、第２の基準信号シーケンスおよび少なくとも１つの第２の直交シーケンスを使用して第２の基準信号を発生させる、
前記少なくとも１つのプロセッサに、前記第１の直交リソースを使用して、前記第１の送信アンテナから送信する第１の組の少なくとも１つの変調シンボルおよび前記第１の基準信号を処理させるためのコードと、
前記少なくとも１つのプロセッサに、前記第２の直交リソースを使用して、前記第２の送信アンテナから送信する第２の組の少なくとも１つの変調シンボルおよび前記第２の基準信号を処理させるためのコードと
を含むコンピュータ読み取り可能な記憶媒体。
【請求項１８】
ワイヤレス通信システム中でデータを受信する方法において、
送信機における第１の送信アンテナのために使用される第１の直交リソースを決定することと、なお、前記第１の直交リソースは、第１の基準信号シーケンスおよび少なくとも１つの第１の直交シーケンスを使用して第１の基準信号を発生させる、
前記送信機における第２の送信アンテナのために使用される第２の直交リソースを決定することと、なお、前記第２の直交リソースは、第２の基準信号シーケンスおよび少なくとも１つの第２の直交シーケンスを使用して第２の基準信号を発生させる、
前記第１の直交リソースを使用して前記第１の送信アンテナから送られた第１の組の少なくとも１つの変調シンボルおよび前記第１の基準信号を受信することと、
前記第２の直交リソースを使用して前記送信機の前記第２の送信アンテナから送られた第２の組の少なくとも１つの変調シンボルおよび前記第２の基準信号を受信することと
を含む方法。
【請求項１９】
前記第１の直交リソースに基づいて受信シンボルを処理して、前記第１の組の少なくとも１つの変調シンボルに対して、第１の変調シンボル推定を取得することと、
前記第２の直交リソースに基づいて前記受信シンボルを処理して、前記第２の組の少なくとも１つの変調シンボルに対して、第２の変調シンボル推定を取得することと、
前記第１および第２の変調シンボル推定をデコードして、少なくとも１つの情報ビットを取得することとをさらに含む請求項１８記載の方法。
【請求項２０】
前記第１の直交リソースに基づいて受信シンボルを処理して、前記第１の組の少なくとも１つの変調シンボルに対して、第１の変調シンボル推定を取得することと、
前記第２の直交リソースに基づいて前記受信シンボルを処理して、前記第２の組の少なくとも１つの変調シンボルに対して、第２の変調シンボル推定を取得することと、
前記第１の変調シンボル推定をデコードして、少なくとも１つの情報ビットを取得することと、
前記第２の変調シンボル推定をデコードして、少なくとも１つの追加の情報ビットを取得することとをさらに含む請求項１８記載の方法。
【請求項２１】
ワイヤレス通信のための装置において、
送信機における第１の送信アンテナのために使用される第１の直交リソースを決定する手段と、なお、前記第１の直交リソースは、第１の基準信号シーケンスおよび少なくとも１つの第１の直交シーケンスを使用して第１の基準信号を発生させる、
前記送信機における第２の送信アンテナのために使用される第２の直交リソースを決定する手段と、なお、前記第２の直交リソースは、第２の基準信号シーケンスおよび少なくとも１つの第２の直交シーケンスを使用して第２の基準信号を発生させる、
前記第１の直交リソースを使用して前記送信機の前記第１の送信アンテナから送られた第１の組の少なくとも１つの変調シンボルおよび前記第１の基準信号を受信する手段と、
前記第２の直交リソースを使用して前記送信機の前記第２の送信アンテナから送られた第２の組の少なくとも１つの変調シンボルおよび前記第２の基準信号を受信する手段と
を具備する装置。
【請求項２２】
前記第１の直交リソースに基づいて受信シンボルを処理して、前記第１の組の少なくとも１つの変調シンボルに対して、第１の変調シンボル推定を取得する手段と、
前記第２の直交リソースに基づいて前記受信シンボルを処理して、前記第２の組の少なくとも１つの変調シンボルに対して、第２の変調シンボル推定を取得する手段と、
前記第１および第２の変調シンボル推定をデコードして、少なくとも１つの情報ビットを取得する手段とをさらに具備する請求項２１記載の装置。
【請求項２３】
前記第１の直交リソースに基づいて受信シンボルを処理して、前記第１の組の少なくとも１つの変調シンボルに対して、第１の変調シンボル推定を取得する手段と、
前記第２の直交リソースに基づいて前記受信シンボルを処理して、前記第２の組の少なくとも１つの変調シンボルに対して、第２の変調シンボル推定を取得する手段と、
前記第１の変調シンボル推定をデコードして、少なくとも１つの情報ビットを取得する手段と、
前記第２の変調シンボル推定をデコードして、少なくとも１つの追加の情報ビットを取得する手段とをさらに具備する請求項２１記載の装置。
【請求項２４】
ワイヤレス通信システム中でデータを送る方法において、
送信機の一対のアンテナのために使用する第１および第２の直交リソースを決定することと、なお、前記第１の直交リソースは、第１の基準信号シーケンスおよび少なくとも１つの第１の直交シーケンスを使用して第１の基準信号を発生させ、前記第２の直交リソースは、第２の基準信号シーケンスを使用して第２の基準信号を発生させる、
前記第１の直交リソースを使用して、前記送信機の前記１対の送信アンテナから２つのシンボル期間中で送信する第１の組の変調シンボルおよび前記第１の基準信号を処理することと、
前記第２の直交リソースを使用して、前記１対の送信アンテナから前記２つのシンボル期間中で送信する第２の組の変調シンボルおよび前記第２の基準信号を処理することと
を含む方法。
【請求項２５】
前記第１の組の変調シンボルを処理することは、時空間ブロックコード（ＳＴＢＣ）にしたがって、前記第１の組の変調シンボルを処理して、前記１対の送信アンテナから送信する第１の対のシンボルストリームを取得することを含み、前記第２の組の変調シンボルを処理することは、ＳＴＢＣにしたがって、前記第２の組の変調シンボルを処理して、前記１対の送信アンテナから送信する第２の対のシンボルストリームを取得することを含む
請求項２４記載の方法。
【請求項２６】
少なくとも１つの情報ビットをエンコードして、コードビットを取得することと、
前記コードビットの第１の部分集合に基づいて、前記第１の組の変調シンボルを発生させることと、
前記コードビットの第２の部分集合に基づいて、前記第２の組の変調シンボルを発生させることとをさらに含む請求項２４記載の方法。
【請求項２７】
少なくとも１つの情報ビットに基づいて、前記第１の組の変調シンボルを発生させることと、
少なくとも１つの追加の情報ビットに基づいて、前記第２の組の変調シンボルを発生させることとをさらに含む請求項２４記載の方法。
【請求項２８】
ワイヤレス通信のための装置において、
送信機の１対の送信アンテナのために使用する第１および第２の直交リソースを決定する手段と、なお、前記第１の直交リソースは、第１の基準信号シーケンスおよび少なくとも１つの第１の直交シーケンスを使用して第１の基準信号を発生させる、なお、前記第２の直交リソースは、第２の基準信号シーケンスおよび少なくとも１つの第２の直交シーケンスを使用して第２の基準信号を発生させる、
前記第１の直交リソースを使用して、前記１対の送信アンテナから２つのシンボル期間中で送信する第１の組の変調シンボルと前記第１の基準信号を処理する手段と、
前記第２の直交リソースを使用して、前記１対の送信アンテナから２つのシンボル期間中で送信する第１の組の変調シンボルと前記第２の基準信号を処理する手段と
を具備する装置。
【請求項２９】
前記第１の組の変調シンボルを処理する手段は、時空間ブロックコード（ＳＴＢＣ）にしたがって、前記第１の組の変調シンボルを処理して、前記１対の送信アンテナから送信する第１の対のシンボルストリームを取得する手段を備え、前記第２の組の変調シンボルを処理する手段は、ＳＴＢＣにしたがって、前記第２の組の変調シンボルを処理して、前記１対の送信アンテナから送信する第２の対のシンボルストリームを取得する手段を備える請求項２８記載の装置。
【請求項３０】
ワイヤレス通信システム中でデータを受信する方法において、
送信機の一対の送信アンテナのために使用される第１および第２の直交リソースを決定することと、なお、前記第１の直交リソースは、第１の基準信号シーケンスおよび少なくとも１つの第１の直交シーケンスを使用して第１の基準信号を発生させ、前記第２の直交リソースは、第２の基準信号シーケンスおよび少なくとも１つの第２の直交リソースを使用して第２の基準信号を発生させる、
前記第１の直交リソースを使用して前記送信機の前記１対の送信アンテナから２つのシンボル期間中で送られた第１の組の変調シンボルおよび前記第１の基準信号を受信することと、
前記第２の直交リソースを使用して前記１対の送信アンテナから前記２つのシンボル期間中で送られた第２の組の変調シンボルおよび前記第２の基準信号を受信することと
を含む方法。
【請求項３１】
前記第１の直交リソースに基づいて受信シンボルを処理して、第１の検出されたシンボルを取得することと、
前記第２の直交リソースに基づいて前記受信シンボルを処理して、第２の検出されたシンボルを取得することと、
時空間ブロックコード（ＳＴＢＣ）にしたがって、前記第１の検出されたシンボルを処理して、前記第１の組の変調シンボルに対して、第１の変調シンボル推定を取得することと、
ＳＴＢＣにしたがって、前記第２の検出されたシンボルを処理して、前記第２の組の変調シンボルに対して、第２の変調シンボル推定を取得することとをさらに含む請求項３０記載の方法。
【請求項３２】
前記第１の変調シンボル推定をデコードして、前記第１の直交リソースを使用して送られた少なくとも１つの情報ビットを取得することと、
前記第２の変調シンボル推定をデコードして、前記第２の直交リソースを使用して送られた少なくとも１つの追加の情報ビットを取得することとをさらに含む請求項３１記載の方法。
【請求項３３】
前記第１および第２の変調シンボル推定をデコードして、前記第１および第２の直交リソースを使用して送られた少なくとも１つの情報ビットを取得することをさらに含む請求項３１記載の方法。
【請求項３４】
ワイヤレス通信のための装置において、
送信機において一対の送信アンテナのために使用される第１および第２の直交リソースを決定する手段と、なお、前記第１の直交リソースは、第１の基準信号シーケンスおよび少なくとも１つの第１の直交シーケンスを使用して第１の基準信号を発生させ、前記第２の直交リソースは、第２の基準信号シーケンスおよび少なくとも１つの第２の直交リソースを使用して第２の基準信号を発生させる、
前記第１の直交リソースを使用して前記送信機の前記１対の送信アンテナから２つのシンボル期間中で送られた第１の組の変調シンボルを受信する手段と、
前記第２の直交リソースを使用して前記１対の送信アンテナから前記２つのシンボル期間中で送られた第２の組の変調シンボルおよび前記第２の基準信号を受信する手段とを具備する装置。
【請求項３５】
前記第１の直交リソースに基づいて受信シンボルを処理して、第１の検出されたシンボルを取得する手段と、
前記第２の直交リソースに基づいて前記受信シンボルを処理して、第２の検出されたシンボルを取得する手段と、
時空間ブロックコード（ＳＴＢＣ）にしたがって、前記第１の検出されたシンボルを処理して、前記第１の組の変調シンボルに対して、第１の変調シンボル推定を取得する手段と、
ＳＴＢＣにしたがって、前記第２の検出されたシンボルを処理して、前記第２の組の変調シンボルに対して、第２の変調シンボル推定を取得する手段とをさらに具備する請求項３４記載の装置。
【請求項３６】
前記第１の組の少なくとも１つの変調シンボルを処理することは、前記第１の組の少なくとも１つの変調シンボルにより、前記第１の基準信号シーケンスを変調することを含み、前記第２の組の少なくとも１つの変調シンボルを処理することは、前記第２の組の少なくとも１つの変調シンボルにより、前記第２の基準信号シーケンスを変調することを含み、前記第１の基準信号を処理することは、前記第１の直交シーケンスを使用して前記第１の基準信号シーケンスを拡散することを含み、前記第２の基準信号を処理することは、前記第２の直交シーケンスを使用して前記第２の基準信号シーケンスを拡散することを含む、請求項１に記載の方法。
【請求項３７】
前記第１の組の少なくとも１つの変調シンボルを処理する手段は、前記第１の組の少なくとも１つの変調シンボルにより、前記第１の基準信号シーケンスを変調して、第１のデータシーケンスを発生させ、前記第２の組の少なくとも１つの変調シンボルを処理する手段は、前記第２の組の少なくとも１つの変調シンボルにより、前記第２の基準信号シーケンスを変調して、第２のデータシーケンスを発生させ、前記第１の基準信号を処理する手段は、前記第１の直交シーケンスを使用して前記第１の基準信号シーケンスを拡散し、前記第２の基準信号を処理する手段は、前記第２の直交シーケンスを使用して前記第２の基準信号シーケンスを拡散する、請求項１０に記載の装置。
【請求項３８】
前記第１の組の少なくとも１つの変調シンボルを処理することは、前記第１の組の少なくとも１つの変調シンボルにより、前記第１の基準信号シーケンスを変調して、第１のデータシーケンスを発生させることを含み、前記第２の組の少なくとも１つの変調シンボルを処理することは、前記第２の組の少なくとも１つの変調シンボルにより、前記第２の基準信号シーケンスを変調して、第２のデータシーケンスを発生させることを含み、前記第１の基準信号を処理することは、前記第１の直交シーケンスを使用して前記第１の基準信号シーケンスを拡散することを含み、前記第２の基準信号を処理することは、前記第２の直交シーケンスを使用して前記第２の基準信号シーケンスを拡散することを含む、請求項１３に記載の装置。
【請求項３９】
前記少なくとも１つのプロセッサに、前記第１の組の少なくとも１つの変調シンボルを処理させるためのコードは、前記プロセッサに、前記第１の組の少なくとも１つの変調シンボルにより、前記第１の基準信号シーケンスを変調させ、前記少なくとも１つのプロセッサに、前記第２の組の少なくとも１つの変調シンボルを処理させるためのコードは、前記少なくとも１つのプロセッサに、前記第２の組の少なくとも１つの変調シンボルにより、前記第２の基準信号シーケンスを変調させ、前記少なくとも１つのプロセッサに、前記第１の基準信号を処理させるためのコードは、前記少なくとも１つのプロセッサに、前記第１の直交シーケンスを使用して前記第１の基準信号シーケンスを拡散させ、前記少なくとも１つのプロセッサに、前記第２の基準信号を処理させるためのコードは、前記プロセッサに、前記第２の直交シーケンスを使用して前記第２の基準信号シーケンスを拡散させる、請求項１６に記載のコンピュータプログラム。
【請求項４０】
前記少なくとも１つのプロセッサに、前記第１の組の少なくとも１つの変調シンボルを処理させるためのコードは、前記少なくとも１つのプロセッサに、前記第１の組の少なくとも１つの変調シンボルにより、前記第１の基準信号シーケンスを変調させ、前記少なくとも１つのプロセッサに、前記第２の組の少なくとも１つの変調シンボルを処理させるためのコードは、前記少なくとも１つのプロセッサに、前記第２の組の少なくとも１つの変調シンボルにより、前記第２の基準信号シーケンスを変調させ、前記少なくとも１つのプロセッサに、前記第１の基準信号を処理させるためのコードは、前記少なくとも１つのプロセッサに、前記第１の直交シーケンスを使用して前記第１の基準信号シーケンスを拡散させ、前記少なくとも１つのプロセッサに、前記第２の基準信号を処理させるためのコードは、前記少なくとも１つのプロセッサに、前記第２の直交シーケンスを使用して前記第２の基準信号シーケンスを拡散させる、請求項１７に記載のコンピュータ読み取り可能な記憶媒体。
【請求項４１】
前記第１のチャネル推定は、前記第１の直交シーケンスを使用して、前記第１の基準信号を逆拡散することによって導出され、前記第２のチャネル推定は、前記第２の直交シーケンスを使用して、前記第２の基準信号を逆拡散することによって導出される、請求項１８に記載の方法。
【請求項４２】
前記第１のチャネル推定は、前記第１の直交シーケンスを使用して、前記第１の基準信号を逆拡散することによって導出され、前記第２のチャネル推定は、前記第２の直交シーケンスを使用して、前記第２の基準信号を逆拡散することによって導出される、請求項２１に記載の装置。
【発明の詳細な説明】
【優先権の主張】
【０００１】
本出願は、いずれも“ＬＴＥ−ＡにおけるＰＵＣＣＨのための多重化およびコーディングスキーム”と題し、参照によりここに組み込まれている、２００９年２月９日に出願された米国仮出願第６１／１５１，１３１号と、２００９年９月９日に出願された米国仮出願第６１／１５１，１５７号とに対する優先権を主張する。
【分野】
【０００２】
本開示は一般に通信に関し、より詳細には、ワイヤレス通信システム中で複数の送信アンテナからデータを送信する技術に関する。
【背景】
【０００３】
ワイヤレス通信システムは、音声や、ビデオや、パケットデータや、メッセージングや、ブロードキャストなどのような、さまざまな通信コンテンツを提供するために広く展開されている。これらのワイヤレスシステムは、利用可能なシステムリソースを共有することにより複数のユーザをサポートできる、多元接続システムであってもよい。そのような多元接続システムの例は、コード分割多元接続（ＣＤＭＡ）システムと、時分割多元接続（ＴＤＭＡ）システムと、周波数分割多元接続（ＦＤＭＡ）システムと、直交ＦＤＭＡ（ＯＦＤＭＡ）システムと、単一搬送波ＦＤＭＡ（ＳＣ−ＦＤＭＡ）システムとを含む。
【０００４】
ワイヤレス通信システムは、（ｉ）単一の受信アンテナを備えた受信機、および／または、（ｉｉ）複数の受信アンテナを備えた受信機への、複数の送信アンテナを備えた送信機からのトラフィックデータおよび／または制御データの送信をサポートしてもよい。良好な性能を達成できるように、複数の送信アンテナからデータを送信することが望まれる。
【概要】
【０００５】
ワイヤレス通信システム中で複数の送信アンテナからデータを送信する技術をここで記述する。１つの観点において、空間直交リソース送信ダイバーシティ（ＳＯＲＴＤ）を使用して、複数の送信アンテナからのデータ（例えば、制御データ）の送信をサポートしてもよい。ＳＯＲＴＤスキームに対して、異なる直交リソースを、各送信アンテナに割り当ててもよい。複数の直交リソースを使用して、複数の送信アンテナからデータを送ってもよい。
【０００６】
１つの設計において、ユーザ機器（ＵＥ）は、少なくとも１つの情報ビットを処理して、（ｉ）第１の送信アンテナに対する、第１の組の少なくとも１つの変調シンボルと、（ｉｉ）第２の送信アンテナに対する、第２の組の少なくとも１つの変調シンボルと、を取得してもよい。情報ビットは、チャネル品質インジケータ（ＣＱＩ）情報、肯定応答（ＡＣＫ）情報、スケジューリング要求、他の情報、または、これらの組み合わせに対するものであってもよい。ＵＥは、情報ビットに対して結合コーディングまたは独立コーディングを実行してもよい。ＵＥは、第１の直交リソースを使用して、第１の送信アンテナから送信する第１の組の少なくとも１つの変調シンボルを処理してもよい。ＵＥは、第２の直交リソースを使用して、第２の送信アンテナから送信する第２の組の少なくとも１つの変調シンボルを処理してもよい。各直交リソースは、異なる基準信号シーケンス、または、異なる１組の、基準信号シーケンスおよび直交シーケンスを含んでいてもよい。ＵＥはまた、第１の直交リソースを使用して、第１の送信アンテナから送信する第１の基準信号を発生させてもよい。ＵＥはまた、第２の直交リソースを使用して、第１の送信アンテナから送信する第２の基準信号を発生させてもよい。
【０００７】
基地局は、相補的な処理を実行して、第１および第２の送信アンテナを通してＵＥにより送られた送信を受信してもよい。本開示のさまざまな観点および特徴を、以下でさらに詳細に記述する。
【図面の簡単な説明】
【０００８】
【図１】図１は、ワイヤレス通信システムを示す。
【図２】図２は、例示的な送信構造を示す。
【図３】図３は、ＣＱＩ情報を送るための例示的な構造を示す。
【図４】図４は、ＡＣＫ情報を送るための例示的な構造を示す。
【図５】図５は、２本の送信アンテナに対してＳＯＲＴＤをサポートする送信機を示す。
【図６Ａ】図６Ａは、エンコーダおよびシンボルマッパーの設計を示す。
【図６Ｂ】図６Ｂは、エンコーダおよびシンボルマッパーの設計を示す。
【図６Ｃ】図６Ｃは、エンコーダおよびシンボルマッパーの設計を示す。
【図６Ｄ】図６Ｄは、エンコーダおよびシンボルマッパーの設計を示す。
【図７】図７は、時空間ブロックコード（ＳＴＢＣ）スキームを示す。
【図８】図８は、ＳＴＢＣスキームを有するＳＯＲＴＤを示す。
【図９】図９は、４本の物理アンテナにより形成された２本の仮想アンテナを示す。
【図１０】図１０は、ＳＯＲＴＤスキームを使用してデータを送るプロセスを示す。
【図１１】図１１は、ＳＯＲＴＤスキームを使用してデータを送る装置を示す。
【図１２】図１２は、ＳＯＲＴＤスキームを使用して送られたデータを受信するプロセスを示す。
【図１３】図１３は、ＳＯＲＴＤスキームを使用して送られたデータを受信する装置を示す。
【図１４】図１４は、ＳＴＢＣスキームを有するＳＯＲＴＤを使用してデータを送るプロセスを示す。
【図１５】図１５は、ＳＴＢＣスキームを有するＳＯＲＴＤを使用してデータを送る装置を示す。
【図１６】図１６は、ＳＴＢＣスキームを有するＳＯＲＴＤを使用してデータを受信するプロセスを示す。
【図１７】図１７は、ＳＴＢＣスキームを有するＳＯＲＴＤを使用してデータを受信する装置を示す。
【図１８】図１８は、基地局およびＵＥのブロック図を示す。
【詳細な説明】
【０００９】
ここで記述する技術は、ＣＤＭＡシステムや、ＴＤＭＡシステムや、ＦＤＭＡシステムや、ＯＦＤＭＡシステムや、ＳＣ−ＦＤＭＡシステムや、他のシステムのような、さまざまなワイヤレス通信システムに対して使用してもよい。用語“システム”および“ネットワーク”は、区別なく使用されることが多い。ＣＤＭＡシステムは、ユニバーサル地上無線アクセス（ＵＴＲＡ）や、ｃｄｍａ２０００などのような無線技術を実現できる。ＵＴＲＡは、広帯域ＣＤＭＡ（ＷＣＤＭＡ（登録商標））と、時分割同期ＣＤＭＡ（ＴＤ−ＳＣＤＭＡ）と、ＣＤＭＡの他の変形体とを含む。ｃｄｍａ２０００は、ＩＳ−２０００、ＩＳ−９５、および、ＩＳ−８５６の標準規格をカバーする。ＴＤＭＡシステムは、移動体通信用グローバルシステム（ＧＳＭ（登録商標））のような無線技術を実現できる。ＯＦＤＭＡシステムは、進化型ＵＴＲＡ（Ｅ−ＵＴＲＡ）や、ウルトラモバイルブロードバンド（ＵＭＢ）や、ＩＥＥＥ８０２．１１（Ｗｉ−Ｆｉ）や、ＩＥＥＥ８０２．１６（ＷｉＭＡＸ）や、ＩＥＥＥ８０２．２０や、フラッシュ−ＯＦＤＭ（登録商標）などのような無線技術を実現できる。ＵＴＲＡおよびＥ−ＵＴＲＡは、ユニバーサル移動体電気通信システム（ＵＭＴＳ）の一部である。３ＧＰＰロングタームエボリューション（ＬＴＥ）と、周波数分割複信（ＦＤＤ）および時分割複信（ＴＤＤ）の両方におけるＬＴＥ−アドバンスト（ＬＴＥ−Ａ）は、Ｅ−ＵＴＲＡを使用するＵＭＴＳの新しいリリースであり、ダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥ、ＬＴＥ−ＡおよびＧＳＭは、“第３世代パートナーシップ・プロジェクト”（３ＧＰＰ）と名付けられた組織からの文書で説明されている。ｃｄｍａ２０００およびＵＭＢは、“第３世代パートナーシップ・プロジェクト２”（３ＧＰＰ２）と名付けられた組織からの文書で説明されている。ここで記述する技術は、上述したシステムおよび無線技術に対してだけでなく、他のシステムおよび無線技術に対しても使用してもよい。明瞭にするために、技術のいくつかの観点は、ＬＴＥに対して以下で記述し、ＬＴＥの専門用語を以下の記述の多くにおいて使用する。
【００１０】
図１は、ワイヤレス通信システム１００を示し、ワイヤレス通信システム１００は、ＬＴＥシステムまたは他の何らかのシステムであってもよい。システム１００は、多数の進化型ノードＢ（ｅＮＢ）１１０と他のネットワークエンティティとを含んでいてもよい。ｅＮＢは、ＵＥと通信する局であってもよく、ノードＢ、基地局、アクセスポイントなどと呼ばれることもある。ＵＥ１２０は、システム全体にわたって分散していてもよく、各ＵＥは、静止型または移動型であってもよい。ＵＥはまた、移動局、端末、アクセス端末、加入者ユニット、局などと呼ばれることもある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、スマート電話機、ネットブック、スマートブックなどであってもよい。ＵＥは、ダウンリンクおよびアップリンク上でｅＮＢと通信してもよい。ダウンリンク（すなわち、フォワードリンク）は、ｅＮＢからＵＥへの通信リンクを指し、アップリンク（すなわち、リバースリンク）は、ＵＥからｅＮＢへの通信リンクを指す。
【００１１】
図２は、アップリンクに対して使用してもよい、例示的な送信構造２００を示す。送信タイムラインをサブフレームの単位に分割してもよい。サブフレームは、例えば、１ミリ秒（ｍｓ）のような、予め定められている継続時間を有していてもよく、２つのスロットに分割されていてもよい。各スロットは、拡張サイクリックプレフィックスに対して６つのシンボル期間または、標準サイクリックプレフィックスに対して７つのシンボル期間を含んでいてもよい。
【００１２】
ＬＴＥは、ダウンリンク上で直交周波数分割多重（ＯＦＤＭ）を利用し、アップリンク上で単一搬送波周波数分割多重（ＳＣ−ＦＤＭ）を利用する。ＯＦＤＭおよびＳＣ−ＦＤＭは、周波数範囲を、一般にトーン、ビンなどとも呼ばれる複数（ＮFFT本）の直交する副搬送波に分割する。各副搬送波をデータにより変調してもよい。一般に、変調シンボルは、ＯＦＤＭでは周波数領域中で送られ、ＳＣ−ＦＤＭでは時間領域中で送られる。隣接する副搬送間の間隔は、固定されていてもよく、副搬送波の総数（ＮFFT本）は、システム帯域幅に依存してもよい。例えば、ＮFFTは、それぞれ、１．２５、２．５、５、１０または２０ＭＨｚのシステム帯域幅に対して、１２８、２５６、５１２、１０２４または２０４８に等しくてもよい。
【００１３】
ダウンリンクおよびアップリンクのそれぞれに対して、ＮFFT本の総副搬送波を有する各スロット中に、複数のリソースブロックを規定してもよい。各リソースブロックは、１つのスロット中でＫ本の副搬送波（例えば、Ｋ＝１２の副搬送波）をカバーしてもよい。各スロット中のリソースブロックの数は、システム帯域幅に依存してもよく、６から１１０に及んでもよい。アップリンク上で、利用可能なリソースブロックを、データ部分および制御部分に分割してもよい。制御部分は、（図２中で示されているように）システム帯域幅の２つの端において形成されていてもよく、設定可能なサイズを有していてもよい。制御部分中のリソースブロックは、制御データの送信のためにＵＥに割り当てられていてもよい。データ部分は、制御部分に含まれていない、すべてのリソースブロックを含んでいてもよい。図２中の設計は、隣接する副搬送波を含むデータ部分をもたらし、単一のＵＥが、データ部分中の隣接する副搬送波のすべてに割り当てられることを可能にする。
【００１４】
制御データをｅＮＢに送信するために、制御部分中のリソースブロックが、ＵＥに割り当てられてもよい。制御データは、ＣＱＩ情報、ＡＣＫ情報、スケジューリング要求（ＳＲ）などを含んでいてもよい。ＣＱＩ情報は、ｅＮＢに対してＵＥにより推定されるダウンリンクチャネル品質を示すＣＱＩ、同時に送信するトランスポートブロックまたはコードワードの数を示すランクインジケータ（ＲＩ）、送信に対して使用するプリコーディング行列を示すプリコーディング行列インジケータ（ＰＭＩ）などを含んでいてもよい。ＡＣＫ情報は、ＵＥに対してｅＮＢにより送られた各トランスポートブロックが、ＵＥにより正確にまたは誤ってデコードされているかどうかを伝えてもよい。スケジューリング要求は、ＵＥによるアップリンク上でのデータ送信のためのリソースを要求してもよい。
【００１５】
ＵＥは、いかなる瞬間でも、トラフィックデータおよび／または制御データを送信してもよい。さらに、ＵＥは、いかなる瞬間でも、ＣＱＩ情報、ＡＣＫ情報、スケジューリング要求、または、これらの組み合わせを送信してもよい。トラフィックデータのみが、または、制御データのみが、または、トラフィックデータおよび制御データの両方が送られているかどうかにかかわらず、単一の搬送波の波形を維持できるように、ＵＥがトラフィックデータおよび／または制御データを送信することが望まれるかもしれない。ＳＣ−ＦＤＭＡを使用して、１組の隣接する副搬送波上でデータを送ることにより、単一搬送波の波形を取得してもよい。単一搬送波の波形は、望ましい、より低いピーク対平均電力比を有することができる。
【００１６】
ＵＥは、物理アップリンク共有チャネル（ＰＵＳＣＨ）上で、トラフィックデータだけを、または、トラフィックデータおよび制御データの両方を送信してもよく、ＰＵＳＣＨを、データ部分中のリソースブロックにマッピングしてもよい。ＵＥは、物理アップリンク制御チャネル（ＰＵＣＣＨ）上で、制御データだけを送信してもよく、ＰＵＣＣＨを、制御部分中のリソースブロックにマッピングしてもよい。単一搬送波の波形を維持するために、異なるタイプの制御データを組み合わせて、一緒に送ってもよい。例えば、ＡＣＫ情報を、ＡＣＫリソース上で単独で、または、ＳＲリソース上のスケジューリング要求とともに、または、ＣＱＩリソース上のＣＱＩ情報とともに送ってもよい。
【００１７】
例えば、表１中で示されているように、多数のＰＵＣＣＨフォーマットをサポートしてもよい。ＰＵＣＣＨフォーマット１を使用して、ＰＵＣＣＨ上での送信の不在の存在により情報（例えば、スケジューリング要求）を伝えてもよい。ＰＵＣＣＨフォーマット１ａおよび１ｂを使用して、単一の変調シンボル中で（例えば、ＡＣＫ情報の）１つまたは２つのビットを送ってもよい。ＰＵＣＣＨフォーマット２を使用して、１０個の変調シンボル中で（例えば、ＣＱＩ情報の）２０個のビットを送ってもよい。ＰＵＣＣＨフォーマット２ａおよび２ｂを使用して、１１個の変調シンボル中で（例えば、ＣＱＩおよびＡＣＫ情報の両方の）２１個または２２個のビットを送ってもよい。
【表１】
0005889972.tif 000002
【００１８】
２つのＰＵＣＣＨ構造をサポートしてもよく、ＡＣＫ構造およびＣＱＩ構造と呼んでもよい。ＡＣＫ構造を使用して、ＡＣＫ情報だけを送ってもよく、ＡＣＫ構造は、ＰＵＣＣＨフォーマット１ａおよび１ｂをサポートしてもよい。ＣＱＩ構造を使用して、ＣＱＩ情報だけを、または、ＡＣＫおよびＣＱＩ情報の両方を送ってもよく、ＣＱＩ構造は、ＰＵＣＣＨフォーマット２、２ａおよび２ｂをサポートしてもよい。
【００１９】
ＵＥは、良好な相関特性を有する基準信号シーケンスを使用して、制御データと、復調基準信号（ＤＭＲＳ）とを送ってもよい。ＤＭＲＳはまた、基準信号、パイロットなどと呼ばれることがある。異なるＵＥが、共通のベースシーケンスから発生され得る、異なる基準信号シーケンスを使用して、同じリソースブロック上で、制御データおよび基準信号を同時に送ってもよい。ベースシーケンスは、Ｃｈｕシーケンス、Ｚａｒｄｏｆｆ−Ｃｈｕシーケンス、フランク（Ｆｒａｎｋ）シーケンス、一般化されたチャープ状（ＧＣＬ）シーケンスなどのような、ＣＡＺＡＣ（定振幅ゼロ自己相関）シーケンスであってもよい。ベースシーケンスはまた、良好な相関特性を有する、コンピュータにより発生されるシーケンスであってもよい。
【００２０】
長さＫの複数の基準信号シーケンスを、次のように、長さＫのベースシーケンスの異なるサイクリックシフトにより発生させてもよい：
【数１】
0005889972.tif 000003
【００２１】
ここで、ｒb（ｋ）は、ベースシーケンスであり、ｋは、シンボルインデックスであり、ｒα（ｋ）は、αのサイクリックシフトを有する基準信号シーケンスである。
【００２２】
ベースシーケンスは、周波数領域中で送られてもよく、等式（１）中で示すように、周波数領域中で位相ランプを適用することにより、または、時間領域中でサイクリックシフトを実行することにより、ベースシーケンスをサイクリックにシフトしてもよい。１つの設計において、Ｋ＝１２であり、各基準信号シーケンスは、１２の長さを有する。αの１２個までの異なる値により、１２個までの基準信号シーケンスを発生させてもよい。複数の基準信号シーケンスを、他の方法で発生させてもよい。
【００２３】
図３は、各スロットが７つのシンボル期間を含むケースに対する、例示的なＣＱＩ構造３００を示す。各サブフレームにおいて、左スロットは、７つのシンボル期間０ないし６を含み、右スロットは、７つのシンボル期間７ないし１３を含む。１つ以上のＵＥが、リソースブロックのペア上で、ＣＱＩ情報と、場合により、ＡＣＫ情報とを同時に送ってもよく、リソースブロックのペアは、（ｉ）左スロットにおける上部（または下部）制御部分中の１つのリソースブロックと、（ｉｉ）右スロットにおける下部（または上部）制御部分中の１つのリソースブロックとを含む。ＣＱＩ構造３００に対して、リソースブロックは、制御データに対する５つのシンボル期間と、基準信号に対する２つのシンボル期間とを含む。左スロットに対して、制御データを、シンボル期間０、１、３、５および６中で送ってもよく、基準信号を、シンボル期間２および４中で送ってもよい。右スロットに対して、制御データをシンボル期間７、８、１０、１２および１３中で送ってもよく、基準信号をシンボル期間９および１１中で送ってもよい。ＣＱＩに対する制御データおよび基準信号を、１対のリソースブロックにおける他のシンボル期間中で送ってもよい。
【００２４】
１つの設計において、ＵＥは、次のように、ＣＱＩ（または、ＣＱＩおよびＡＣＫの両方）に対して制御データを処理してもよい。ＵＥは、ＣＱＩに対する情報ビットをエンコードして、２０ないし２２個のコードビットを取得し、最初の２０個のコードビットを１０個の変調シンボルｄ（０）ないしｄ（９）にマッピングし、（もしあれば）最後の１または２個のコードビットを変調シンボルｄ（１０）にマッピングしてもよい。ＵＥは、次に、以下のように、各変調シンボルｄ（ｎ）により、その基準信号シーケンスｒ（ｋ）を変調してもよい：
【数２】
0005889972.tif 000004
【００２５】
ここで、ｃn（ｋ）は、ＣＱＩに対するｎ番目のデータシーケンスである。データシーケンスｃn（ｋ）はまた、変調された基準信号シーケンスと呼ばれることがある。１０個のデータシーケンスｃ0（ｋ）ないしｃ9（ｋ）を、それぞれ、１０個の変調シンボルｄ（０）ないしｄ（９）に対して取得してもよく、例えば、図３中で示すように、１つのリソースブロックのペアにおいて、制御データに対する１０個のシンボル期間中で送ってもよい。
【００２６】
１つの設計において、ＵＥは、次のように、ＣＱＩに対して基準信号を発生させてもよい：
【数３】
0005889972.tif 000005
【００２７】
ここで、ｚ（ｌ）は、基準信号中で送る変調シンボルであり、ｗ（ｌ）は、基準信号を拡散するために使用される直交シーケンスであり、pl（ｋ）は、ＣＱＩに対するｌ番目のパイロットシーケンスであり、Ｐは、ＣＱＩのための基準信号に対するシンボル期間の数である。
【００２８】
ｚ（ｌ）は、ＰＵＣＣＨフォーマット２ａまたは２ｂに対してｄ（１０）に等しくてもよく、ＰＵＣＣＨフォーマット２に対して１に等しくてもよい。ｗ（ｌ）は、（図３中で示すように）標準サイクリックプレフィックスを有する２つの基準シンボル期間に対して｛１，１｝に等しくてもよく、または、拡張サイクリックプレフィックスを有する１つの基準シンボル期間に対して｛１｝に等しくてもよい。等式（３）中で示すように、（ｉ）変調シンボルｚ（ｌ）により基準信号シーケンスを変調し、かつ、（ｉｉ）直交シーケンスｗ（ｌ）により、変調された基準信号シーケンスを拡散することにより、Ｐ個のパイロットシーケンスｐ0（ｎ）ないしｐP-1（ｎ）を取得してもよい。例えば、図３中で示すように、各リソースブロックにおける、基準信号に対するＰ個のシンボル期間中で、Ｐ個のパイロットシーケンスを送ってもよい。
【００２９】
１つの設計において、１２個の直交リソースをＣＱＩに対して規定してもよく、１２個の直交リソースは、ＣＱＩリソースと呼ばれることもある。各ＣＱＩリソースは、異なる基準信号シーケンスと、共通の直交シーケンスとに関係付けられていてもよい。１２台までのＵＥが、１２個までのＣＱＩリソースを使用して、同じリソースブロックのペア上で、ＣＱＩに対する制御データおよび基準信号を同時に送ってもよい。これらのＵＥからの制御データおよび基準信号は、基準信号シーケンスの分離により区別され得る。
【００３０】
図４は、各スロットが７つのシンボル期間を含むケースに対する、例示的なＡＣＫ構造４００を示す。ＡＣＫ構造４００に対して、リソースブロックは、制御データに対する４つのシンボル期間と、基準信号に対する３つのシンボル期間とを含む。左スロットに対して、制御データをシンボル期間０、１、５および６中で送ってもよく、基準信号をシンボル期間２、３および４中で送ってもよい。右スロットに対して、制御データをシンボル期間７、８、１２および１３中で送ってもよく、基準信号をシンボル期間９、１０および１１中で送ってもよい。ＡＣＫに対する制御データおよび基準信号を、１対のリソースブロックにおける、他のシンボル期間中で送ってもよい。
【００３１】
１つの設計において、ＵＥは、次のように、ＡＣＫに対する制御データを処理してもよい。ＵＥは、ＢＰＳＫまたはＱＰＳＫに基づいて、ＡＣＫに対する１または２個のビットを変調シンボルｄ（０）にマッピングしてもよい。ＵＥは次に、以下のように、その基準信号シーケンスを変調および拡散してもよい：
【数４】
0005889972.tif 000006
【００３２】
ここで、ｗ（ｎ）は、ＡＣＫに対する制御データを拡散するために使用される直交シーケンスであり、ａn（ｋ）は、ＡＣＫに対するｎ番目のデータシーケンスであり、Ｎは、ＡＣＫのための制御データに対するシンボル期間の数である。
【００３３】
等式（４）中で示されているように、（ｉ）変調シンボルｄ（０）により基準信号シーケンスを変調し、かつ、（ｉｉ）直交シーケンスｗ（ｎ）により、変調された基準信号シーケンスを拡散することにより、ＡＣＫに対するＮ個のデータシーケンスａ0（n）ないしａN-1（ｎ）を取得してもよい。例えば、図４中で示されているように、各リソースブロックにおける、制御データに対するＮ個のシンボル期間中で、Ｎ個のデータシーケンスを送ってもよい。
【００３４】
１つの設計において、ＵＥは、次のように、ＡＣＫに対する基準信号を発生させてもよい。
【数５】
0005889972.tif 000007
【００３５】
ここで、ｑl（ｋ）は、ＡＣＫに対するｌ番目のパイロットシーケンスであり、Ｑは、ＡＣＫのための基準信号に対するシンボル期間の数である。
【００３６】
等式（５）中で示されているように、直交シーケンスｗ（ｌ）により基準信号シーケンスを拡散することにより、Ｑ個のパイロットシーケンスｑ0（ｎ）ないしｑQ-1（ｎ）を取得してもよい。例えば、図４中で示されているように、各リソースブロックにおける、基準信号に対するＱ個のシンボル期間中で、Ｑ個のパイロットシーケンスを送ってもよい。Ｑは、拡張サイクリックプレフィックスに対して２に等しくてもよく、または、標準サイクリックプレフィックスに対して３に等しくてもよい。長さ２の２つの直交シーケンスを、ウォルシュ行列に基づいて定義してもよい。長さ３の３つの直交シーケンスを、離散フーリエ変換（ＤＦＴ）行列に基づいて定義してもよい。一般に、長さＱのＱ個の直交シーケンスを、適切なＱ×Ｑ行列に基づいて定義してもよい。
【００３７】
１つの設計において、多数の直交リソースを、ＡＣＫに対して定義してもよく、ＡＣＫリソースと呼んでもよい。各ＡＣＫリソースは、特定の基準信号シーケンス、制御データに対する特定の直交シーケンス、および、基準信号に対する特定の直交シーケンスに関係付けられていてもよい。基準信号に対して、長さ３の３つの直交シーケンスがあってもよい。制御データに対して、拡張サイクリックプレフィックスに対して長さ３の３つの直交シーケンスがあってもよく、または、標準サイクリックプレフィックスに対して長さ４の４つの直交シーケンスがあってもよい。したがって、（共通のベースシーケンスの１２個の異なるサイクリックシフトにより取得された）１２個の基準信号シーケンスと、長さ３の３つの直交シーケンスとにより、３６個のＡＣＫリソースを定義してもよい。ＡＣＫリソースの数は、基準信号に対する直交シーケンスの数により制限され得る。３６台までのＵＥが、３６個までのＡＣＫリソースを使用して、同じリソースブロックのペア上で、ＡＣＫに対する制御データおよび基準信号を同時に送ってもよい。これらのＵＥからの制御データおよび基準信号は、（ｉ）基準信号シーケンスの分離と、（ｉｉ）時間領域における直交シーケンスによる拡散とにより、区別され得る。
【００３８】
一般に、利用可能な基準信号シーケンスと、利用可能な直交シーケンスとにより、多数の直交リソースを規定してもよい。各直交リソースは、特定の基準信号シーケンスと、１つ以上の特定の直交シーケンスとに関係付けられていてもよい。異なるＵＥに異なる直交リソースが割り当てられていてもよく、異なるＵＥは、それらの割り当てられている直交リソースを使用して、同じリソースブロック上で制御データおよび基準信号を同時に送ってもよい。
【００３９】
１つの観点において、空間直交リソース送信ダイバーシティ（ＳＯＲＴＤ）スキームを使用して、複数の送信アンテナからのデータ（例えば、制御データ）の送信をサポートしてもよい。ＳＯＲＴＤスキームに対して、異なる直交リソースを、各送信アンテナに割り当ててもよい。複数の直交リソースを使用して、複数の送信アンテナからデータを送ってもよい。ＳＯＲＴＤは、容量および／または性能を向上させ得る。一般に、任意の数の送信アンテナに対して、ＳＯＲＴＤを使用してもよい。明瞭にするために、以下の記述の多くは、２つの送信アンテナに対するものである。
【００４０】
図５は、２本の送信アンテナ５４２ａおよび５４２ｂに対してＳＯＲＴＤをサポートする送信機５００の設計のブロック図を示す。送信機５００内で、制御データ発生器５１０が、制御データに対する情報ビットを発生させてもよく、制御データは、ＡＣＫ情報、ＣＱＩ情報、スケジューリング要求などを含んでいてもよい。以下で記述するように、エンコーダおよびシンボルマッパー５２０が、情報ビットをエンコードしてコードビットを取得してもよく、さらに、コードビットを変調シンボルにマッピングしてもよい。ユニット５２０は、（ｉ）第１の送信アンテナ５４２ａに対して、第１の組の少なくとも１つの変調シンボルをシーケンス変調器および拡散器５３０ａに、（ｉｉ）第２の送信アンテナ５４２ｂに対して、第２の組の少なくとも１つの変調シンボルをシーケンス変調器および拡散器５３０ｂに、提供してもよい。
【００４１】
ユニット５３０ａは、第１の送信アンテナに割り当てられている第１の直交リソースに基づいて、第１の組の変調シンボルと、第１の基準信号とを処理してもよい。同様に、ユニット５３０ｂは、第２の送信アンテナに割り当てられている第２の直交リソースに基づいて、第２の組の変調シンボルと、第２の基準信号とを処理してもよい。ユニット５３０ａおよび５３０ｂによる処理は、送られている制御データのタイプに依存してもよい。例えば、各ユニット５３０は、等式（２）または（４）中で示されているように、その組の変調シンボルを処理して、データシーケンスを取得してもよい。各ユニット５３０はまた、例えば、等式（３）または（５）中で示されているように、その基準信号を処理して、パイロットシーケンスを取得してもよい。各ユニット５３０は、例えば、図３または４中で示されているように、データシーケンスとパイロットシーケンスとを多重化してもよい。
【００４２】
送信機ユニット（ＴＭＴＲ）５４０ａは、ユニット５３０ａからのデータおよびパイロットシーケンスを処理して、第１の変調信号を発生させてもよく、第１の変調信号は、第１の送信アンテナ５４２ａにより送信してもよい。送信機ユニット５４０ｂは、ユニット５３０ｂからのデータおよびパイロットシーケンスを処理して、第２の変調信号を発生させてもよく、第２の変調信号は、第２の送信アンテナ５４２ｂにより送信してもよい。
【００４３】
ＳＯＲＴＤスキームに対して、２本の送信アンテナから送られる制御データに対して、異なる直交リソースを使用してもよい。ｅＮＢは、各送信アンテナに対して使用されている直交リソースに基づいて、各送信アンテナから送られた制御データを回復してもよい。２本の送信アンテナから送られる基準信号に対して、異なる直交リソースを使用してもよい。これにより、ｅＮＢは、各送信アンテナから受信した基準信号に基づいて、各送信アンテナに対するチャネル推定を導出することが可能になり得る。各送信アンテナに対するチャネル推定を、その送信アンテナから送られた制御データのコヒーレント復調に対して使用してもよい。
【００４４】
ユニット５２０によるエンコーディングおよび逆多重化を、さまざまな方法で実行してもよい。エンコーディングおよび逆多重化のいくつかの設計を、以下で記述する。
【００４５】
図６Ａは、繰返しを有するエンコーダおよびシンボルマッパー５２０ａの設計のブロック図を示す。ユニット５２０ａは、図５中のエンコーダおよびシンボルマッパー５２０の１つの設計である。ユニット５２０ａ内で、エンコーダ６１２が、制御データのＭ個の情報ビットを受け取ってもよく、情報ビットをレートＲのコードでエンコードして、Ｍ／Ｒ個のコードビットを含むコードワードを取得してもよい。情報ビットの数（Ｍ）は、どのタイプの制御データが送られているかに依存してもよい。コードレート（Ｒ）は、１より小さい任意の適切な値であってもよく、情報ビットの数と、コードビットの所望の数とに基づいて選択してもよい。シンボルマッパーは、選択した変調スキームに基づいて、コードビットを変調シンボルｄ（ｎ）にマッピングしてもよい。繰返しユニット６１６が、第１および第２の送信アンテナの両方に対して、同じ変調シンボルｄ（ｎ）を提供してもよい。図６Ａ中で示していないが、エンコーダ６１２の後にチャネルインターリーバを加えて、コードビットまたは変調シンボルのいずれかをインターリーブ（すなわち、新しい順番を割り当てるか、または、並べ換える）してもよい。
【００４６】
図６Ａ中で示した設計において、同じ変調シンボルをすべての送信アンテナから送ってもよい。エンコーダ６１２は、例えば、ＬＴＥリリース８においてアップリンク上で送られる制御データに対して指定されるエンコーディングのように、制御データが単一の送信アンテナから送られるケースに対するのと同様の方法でエンコーディングを実行してもよい。
【００４７】
図６Ｂは、インターリービングを有するエンコーダおよびシンボルマッパー５２０ｂの設計のブロック図を示す。ユニット５２０ｂは、図５中のエンコーダおよびシンボルマッパー５２０の別の設計である。ユニット５２０ｂ内で、エンコーダ６２２ａが、情報ビットを受け取り、レートＲのコードでエンコードして、コードビットを提供してもよい。シンボルマッパー６２４ａが、第１の送信アンテナに対して、エンコーダ６２２ａからのコードビットを変調シンボルｄ1（ｎ）にマッピングしてもよい。インターリーバ６２０が、情報ビットをインターリーブして、インターリーブされたビットを提供してもよい。エンコーダ６２２ｂが、レートＲのコードで、インターリーブされたビットをエンコードして、コードビットを提供してもよい。シンボルマッパー６２４ｂが、第２の送信アンテナに対して、エンコーダ６２２ｂからのコードビットを変調シンボルｄ2（ｎ）にマッピングしてもよい。
【００４８】
図６Ｂ中で示した設計において、両方の送信アンテナに対して、同じエンコーダを使用してもよい。しかしながら、情報ビットは、第２の送信アンテナに対するエンコーダ６２２ｂに適用される前にインターリーブされる。インターリービングは、エンコーダ６２２ａおよび６２２ｂにより２つの異なるコードワードにマッピングされる情報ビットをもたらす。図６Ｂ中で示していないが、２本の送信アンテナに対して、エンコーダ６２２ａおよび６２２ｂの後に異なるチャネルインターリーバを加えて、コードビットまたは変調シンボルのいずれかを並べ換えてもよい。
【００４９】
図６Ｃは、結合コーディングを有するエンコーダおよびシンボルマッパー５２０ｃの設計のブロック図を示す。ユニット５２０ｃは、図５中のエンコーダおよびシンボルマッパー５２０のさらに別の設計である。ユニット５２０ｃ内で、エンコーダ６３２が、送るための情報ビットを受け取り、レートＲ／２（または、より高い）のコードで情報ビットをエンコードし、２倍の数のコードビットを提供してもよい。エンコーダ６３２は、ｔａｉｌ ｂｉｔｉｎｇ畳み込みコード（ＴＢＣＣ）、ブロックコード、および／または、他の何らかのコードを実現してもよい。デマルチプレクサ（Ｄｅｍｕｘ）６３４が、第１の送信アンテナに対して、コードビットのいくつか（例えば、偶数番号が付けられたインデックスを有するコードビット）をシンボルマッパー６３６ａに提供してもよく、第２の送信アンテナに対して、残りのコードビット（例えば、奇数番号が付けられたインデックスを有するコードビット）をシンボルマッパー６３６ｂに提供してもよい。シンボルマッパー６３６ａは、第１の送信アンテナに対して、そのコードビットを変調シンボルｄ1（ｎ）にマッピングしてもよい。シンボルマッパー６３６ｂは、第２の送信アンテナに対して、そのコードビットを変調シンボルｄ2（ｎ）にマッピングしてもよい。図６Ｃ中で示していないが、エンコーダ６３２の後にチャネルインターリーバを追加して、コードビットを並べ換えてもよく、または、シンボルマッパー６３６ａおよび６３６ｂの後に異なるチャネルインターリーバを追加して、２本の送信アンテナに対して変調シンボルを並べ換えてもよい。エンコーダ６３２は、送られている情報ビットの数に依存してもよいコードを実現してもよい。
【００５０】
一般に、結合コーディングスキームに対して、情報ビットを適切なコードレートでエンコードして、Ｔ本の送信アンテナに対して、Ｔ倍のコードビットを含むコードワードを取得してもよく、Ｔは、１より大きい任意の値であってもよい。コードワードの異なる部分を、異なる送信アンテナ上で送ってもよい。Ｒ／ＴのコードレートでＭ個の情報ビットをエンコードして、Ｍ・Ｔ／Ｒ個のコードビットを取得することにより、追加のコーディングゲインを達成してもよく、ここで、Ｍは、例えば、ＬＴＥリリース８をサポートするＵＥにより、ベースラインスキームにおいて単一の送信アンテナから送られる情報ビットの数であってもよい。代わりに、Ｍ個よりも多い情報ビットを、ＲおよびＲ／Ｔの間のコードレートでエンコードして、Ｍ・Ｔ／Ｒ個のコードビットを取得してもよい。したがって、結合コーディングスキームは、ベースラインスキームと比較して、より大きな制御データペイロードの送信をサポートし得る。
【００５１】
図６Ｄは、独立コーディングを有するエンコーダおよびシンボルマッパー５２０ｄの設計のブロック図を示す。ユニット５２０ｄは、図５中のエンコーダおよびシンボルマッパー５２０のさらに別の設計である。ユニット５２０ｄ内で、デマルチプレクサ６４０が、送るべき情報ビットを受け取ってもよく、第１の送信アンテナに対して、情報ビットのいくつか（例えば、約半分）をエンコーダ６４２ａに提供してもよく、第２の送信アンテナに対して、残りの情報ビットをエンコーダ６４２ｂに提供してもよい。エンコーダ６４２ａは、レートＲのコードで、その情報ビットをエンコードして、コードビットを提供してもよい。シンボルマッパー６４４ａは、第１の送信アンテナに対して、エンコーダ６４２ａからのコードビットを変調シンボルｄ1（ｎ）にマッピングしてもよい。エンコーダ６４２ｂは、レートＲのコードで、その情報ビットをエンコードして、コードビットを提供してもよい。シンボルマッパー６４４ｂは、第２の送信アンテナに対して、エンコーダ６４２ｂからのコードビットを変調シンボルｄ2（ｎ）にマッピングしてもよい。エンコーダ６４２ａおよび６４２ｂは、（図６Ｄ中で示されているように）同じコードレートを有していてもよく、または、異なるコードレートを有していてもよく、異なるコードレートは、各エンコーダ６４２に提供される情報ビットの数に依存し得る。図６Ｄ中で示していないが、エンコーダ６４２ａおよび６４２ｂの後にチャネルインターリーバを加えて、２本の送信アンテナに対して、コードビットまたは変調シンボルのいずれかを並べ換えてもよい。
【００５２】
独立コーディングスキームに対して、異なる情報ビットを各送信アンテナから送ってもよい。各送信アンテナに対する情報ビットを、その送信アンテナに対して選択したコードレートおよび変調スキームに基づいて、別々に処理してもよい。各送信アンテナに対する処理は、１つの送信アンテナから情報ビットを送るベースラインスキームに対する処理と類似していてもよい。
【００５３】
図６Ａないし６Ｄは、情報ビットを処理して、異なる直交リソースを使用して複数の送信アンテナから送信する変調シンボルを発生させる、４つの例示的なエンコーディングおよびシンボルマッピングスキームを示す。エンコーディングおよびシンボルマッピングスキームはまた、他の方法で実行してもよい。結合コーディングおよび独立コーディングスキームは、単一の送信アンテナから制御データを送信するベースラインスキームと比較して、複数の送信アンテナからのより多くの制御データの送信をサポートし得る。結合コーディングおよび独立コーディングスキームはまた、複数の送信アンテナの使用により、空間ダイバーシティゲインを提供してもよい。スキームの組み合わせを使用してもよい。例えば、特定の数の情報ビット（例えば、１１またはより少ない情報ビット）を送信するとき、繰返しスキームを使用してもよい。特定の数の情報ビットよりも多く送信するとき、結合コーディングまたは独立コーディングスキームを使用してもよい。
【００５４】
ＳＯＲＴＤスキームは、異なる直交リソースを使用して、複数の送信アンテナからの異なる制御データの送信をサポートしてもよい。２本の送信アンテナを有するケースに対する例として、ＡＣＫ情報を一方の送信アンテナから送ってもよく、スケジューリング要求を他方の送信アンテナから同時に送ってもよい。別の例として、少なくとも１つのＡＣＫビットを一方の送信アンテナから送ってもよく、少なくとも１つの追加のＡＣＫビットを他方の送信アンテナから送ってもよい。図６Ｄ中で示した処理を使用して、異なる送信アンテナから異なる制御データを送ってもよい。
【００５５】
ＳＯＲＴＤスキームは、空間領域中での、結合コーディングによる制御データの送信をサポートしてもよい。例として、２本の送信アンテナを有するケースに対して、異なる基準信号を各送信アンテナに割り当ててもよく、各送信アンテナは、１０または１１個の変調シンボルを送ることができてもよい。総計４０ないし４４個のコードビットを、ＱＰＳＫにより、２本送信アンテナから送ってもよい。（例えば、ＣＱＩおよび／またはＡＣＫ情報の）標準の制御データペイロードを、より低いコードレートで処理して、所望の数のコードビットを取得してもよい。代わりに、より大きな制御データペイロードを、コードレートＲまたはより低いコードレートでエンコードして、所望の数のコードビットを取得してもよい。
【００５６】
ＳＯＲＴＤスキームは、さまざまな利点を提供できる。第１に、ベースラインスキームと比べて、向上した性能および／またはより大きな容量をＳＯＲＴＤスキームにより達成できる。第２に、単一の搬送波の波形を、各送信アンテナに対して維持できる。第３に、複数の送信アンテナのそれぞれを、ＬＴＥリリース８において単一の送信アンテナを有するＵＥと同じ方法で取り扱うことができる。これは、複数の送信アンテナを備えたＵＥにおける処理だけでなく、ｅＮＢにおける処理も簡単にする。第４に、ＳＯＲＴＤスキームをすべてのＰＵＣＣＨフォーマットに対して使用できる。他の利点もまた、ＳＯＲＴＤスキームにより取得し得る。
【００５７】
別の観点において、時空間ブロックコード（ＳＴＢＣ）スキームを使用して、２本の送信アンテナからのデータ（例えば、制御データ）の送信をサポートしてもよい。ＳＴＢＣスキームに対して、２つのシンボル期間のそれぞれにおいて単一の直交リソースを使用して、２つのシンボル期間中で、２本の送信アンテナから１対の変調シンボルを送ってもよい。
【００５８】
１つの設計において、次のように、２つのシンボル期間ｎおよびｎ＋１において、２本の送信アンテナ１および２に対してデータシーケンスを発生させてもよい：
【数６】
0005889972.tif 000008
【００５９】
ここで、ｄ（ｕ）およびｄ（ｖ）は、２つのシンボル期間中で送る、２個の変調シンボルであり、ｒn（ｋ）およびｒn+1（ｋ）は、２つのシンボル期間中で使用する基準信号シーケンスであり、ｃn1（ｋ）およびｃn+11（ｋ）は、２つのシンボル期間における、送信アンテナ１に対する２つのデータシーケンスであり、ｃn2（ｋ）およびｃn+12（ｋ）は、２つのシンボル期間における、送信アンテナ２に対する２つのデータシーケンスであり、“＊”は、複素共役を表す。
【００６０】
等式（６）ないし（９）中で示されているように、（ｉ）シンボル期間ｎにおいて、それぞれ、第１および第２の送信アンテナから、および、（ｉｉ）シンボル期間ｎ＋１において、それぞれ、第２および第１の送信アンテナから、２個の変調シンボルｄ（ｕ）およびｄ（ｖ）を送ってもよい。ｅＮＢによる変調シンボルの回復を容易にするために、第２の送信アンテナから送られる変調シンボルは、共役されていてもよく、および／または、ネゲートされていてもよい。一般に、同じまたは異なる基準信号シーケンスを、２つのシンボル期間に対して使用してもよい。どちらの場合でも、各シンボル期間において、同じ基準信号シーケンスが、両方の送信アンテナに対して使用される。
【００６１】
１つの設計において、次のように、２つのシンボル期間ｎ１およびｎ２において、２本の送信アンテナ１および２に対して、パイロットシーケンスを発生させてもよい：
【数７】
0005889972.tif 000009
【００６２】
ここで、ｐn11（ｋ）およびｐn21（ｋ）は、２つのシンボル期間における、送信アンテナ１に対する２つのパイロットシーケンスであり、ｐn12（ｋ）およびｐn22（ｋ）は、２つのシンボル期間における、送信アンテナ２に対する２つのパイロットシーケンスである。
【００６３】
等式（１０）および（１１）中で示されているように、｛１，１｝の直交シーケンスを、一方の送信アンテナに対するパイロットシーケンスに対して使用してもよく、｛１，−１｝の直交シーケンスを、他方の送信アンテナに対するパイロットシーケンスに対して使用してもよい。２本の送信アンテナに対して２つの直交シーケンスを使用することにより、基準信号に対する多重化能力を倍にすることができる。別の設計において、２つの基準信号シーケンスと単一の直交シーケンス｛１，１｝とを、２本の送信アンテナから送られる基準信号に対して使用してもよい。一般に、同じまたは異なる基準信号シーケンスを、パイロットに対する２つのシンボル期間に対して使用してもよい。どちらの場合でも、各シンボル期間において、同じ基準信号シーケンスが、両方の送信アンテナに対して使用される。
【００６４】
図７は、図３中で示したＣＱＩ構造に対するＳＴＢＣスキームの設計を示す。図７中で示した例において、変調シンボルが、５つのシンボル期間中で送られ、基準信号が、１つのスロットの２つのシンボル期間中で送られる。第１の対の変調シンボルｄ（０）およびｄ（１）が、ＳＴＢＣスキームを使用して、シンボル期間０および２中で、２本の送信アンテナから送られる。第２の対の変調シンボルｄ（３）およびｄ（４）が、ＳＴＢＣスキームを使用して、シンボル期間４および６中で、２本の送信アンテナから送られる。単一の変調シンボルｄ（２）が、繰返しを使用して、シンボル期間３中で２本の送信アンテナから送られる。パイロットシーケンスが、シンボル期間１および５中で、２本の送信アンテナから送られる。
【００６５】
さらに別の観点において、ＳＯＲＴＤおよびＳＴＢＣの組合せを使用して、ＳＴＢＣの送信能力を拡張し、容量および／または性能を向上させてもよい。ＳＴＢＣスキームを有するＳＯＲＴＤに対して、ＵＥには、ＳＯＲＴＤによる複数の直交リソースが割り当てられてもよい。ＵＥは、各直交リソースに対するＳＴＢＣに基づいて制御データを処理して、直交リソースに対する２本の送信アンテナに対して、２つのシンボルストリームを取得してもよい。ＵＥは、各送信アンテナに対するすべてのシンボルストリームを組み合せて、その送信アンテナに対する出力シンボルストリームを取得してもよい。
【００６６】
１つの設計において、次のように、ＳＴＢＣスキームを有するＳＯＲＴＤに対して、２つのシンボル期間ｎおよびｎ＋１中で、２本の送信アンテナ１および２に対してデータシーケンスを発生させてもよい：
【数８】
0005889972.tif 000010
【００６７】
ここで、ｄ1（ｕ）およびｄ1（ｖ）は、第１の直交リソースにより送る変調シンボルであり、ｄ2（ｕ）およびｄ2（ｖ）は、第２の直交リソースにより送る変調シンボルであり、ｒn1（ｋ）およびｒn+11（ｋ）は、２つのシンボル期間における、第１の直交リソースに対する基準信号シーケンスであり、ｒn2（ｋ）およびｒn+12（ｋ）は、第２の直交リソースに対する基準信号シーケンスである。
【００６８】
図８は、図３中で示したＣＱＩ構造に対する、ＳＴＢＣスキームを有するＳＯＲＴＤの設計を示す。図８中で示した例において、変調シンボルが、５つのシンボル期間中で送られ、基準信号が、１つのスロットの２つのシンボル期間中で送られる。第１の対の変調シンボルｄ1（０）およびｄ1（１）が、第１の直交リソースを使用して、ＳＴＢＣスキームにより、シンボル期間０および２中で２本の送信アンテナから送られる。第２の対の変調シンボルｄ2（０）およびｄ2（１）が、第２の直交リソースを使用して、ＳＴＢＣスキームにより、シンボル期間０および２中で２本の送信アンテナから送られる。２本の送信アンテナに対する出力シンボルシーケンスを、等式（１２）ないし（１５）中で示されるように取得してもよい。
【００６９】
ＳＯＲＴＤおよびＳＴＢＣは、開ループ送信ダイバーシティを実現するために使用してもよい、２つの例示的なスキームである。一般に、複数の送信アンテナにわたってデータを送信することにより、送信ダイバーシティを達成してもよい。送信機（例えば、ＵＥ）により実行される処理が、受信機（例えば、ｅＮＢ）からのフィードバック情報に依存しないとき、送信ダイバーシティは、開ループであり得る。送信ダイバーシティはまた、サイクリック遅延ダイバーシティ（ＣＤＤ）のような他のスキームにより達成してもよい。ＣＤＤスキームに対して、各シンボル期間中の出力サンプルを、時間領域中でサイクリックにシフトしてもよく、異なる量のサイクリックシフトが、異なる送信アンテナに対して適用される。ＣＤＤスキームは、１つの送信アンテナからの通信チャネルと、他の送信アンテナからの遅延通信チャネルとを効果的に組み合せて、より長い遅延スプレッドを有する１つの有効なチャネルにしてもよい。より大きなサイクリックシフトを使用して、良好なダイバーシティ性能を達成してもよい。しかしながら、（例えば、出力サンプルの整数倍における）より大きなサイクリック遅延は、２本の送信アンテナに対して、異なるサイクリックシフトを有する異なる基準信号シーケンスを使用することに同等であるかもしれない。
【００７０】
１つの設計において、ＳＯＲＴＤスキームに対して、異なる直交リソースを複数（Ｔ本）の送信アンテナに割り当ててもよく、Ｔは、２またはより大きな値であってもよい。例えば、４本の送信アンテナを備えたＵＥに対して、４個の直交リソースを割り当ててもよい。例えば、図６Ａないし６Ｄにおいて上述したように、同じまたは異なるデータを、Ｔ本の送信アンテナから送ってもよい。各送信アンテナに対するチャネル応答の推定を可能にするために、異なる基準信号をＴ本の送信アンテナから送ってもよい。別の設計において、ＳＴＢＣスキームを有するＳＯＲＴＤを、２本より多い送信アンテナに対して使用してもよい。例えば、１つの直交リソースを使用する第１の対の送信アンテナに対してＳＴＢＣを使用してもよく、別の直交リソースを使用する第２の対の送信アンテナに対してＳＴＢＣを使用してもよい。
【００７１】
さらに別の設計において、２本より多い物理アンテナが利用可能であるとき、２本の仮想アンテナを形成してもよい。（ｉ）各仮想アンテナからの送信に対する送信電力を増加させ、（ｉｉ）各物理アンテナに対するチャネル推定を可能にするために各物理アンテナから別々の基準信号を送らなければならないことを回避するために、より少ない仮想アンテナからデータを送ることが望まれる。乏しいチャネル推定に起因して、性能は低下するかもしれない。
【００７２】
図９は、４本の物理アンテナにより２本の仮想アンテナを形成する設計を示す。この設計において、重みｗ1（ｔ）、ｗ2（ｔ）、ｗ3（ｔ）およびｗ4（ｔ）を、それぞれ、４本の物理アンテナ１、２、３および４に対して適用してもよい。仮想アンテナ１に対する出力サンプルｘ1（ｉ）に、（ｉ）物理アンテナ１からの送信に先立って、重みｗ1（ｔ）を乗じてもよく、かつ、（ｉｉ）物理アンテナ２からの送信に先立って、重みｗ2（ｔ）を乗じてもよい。同様に、仮想アンテナ２に対する出力サンプルｘ2（ｉ）に、（ｉ）物理アンテナ３からの送信に先立って、重みｗ3（ｔ）を乗じてもよく、かつ、（ｉｉ）物理アンテナ４からの送信に先立って、重みｗ4（ｔ）を乗じてもよい。重みは、（例えば、スロットの境界において）ランダムにホップして、物理アンテナ間の可能性のある相関を回避してもよい。ＵＥは、重みを自律的に選択して、ｅＮＢに知らせることを必要とせずに、それらを制御データおよび基準信号の両方に適用してもよい。
【００７３】
図９中で示した設計において、各物理アンテナを、１つの仮想アンテナだけに対して使用してもよく、１つの仮想アンテナは、各物理アンテナに対して、単一の搬送波の波形を維持してもよい。仮想アンテナはまた、他の方法で形成してもよい。別の設計において、Ｔ本の物理アンテナに対して、Ｔ個の重みの第１のプリコーディングベクトルにより、第１の仮想アンテナを形成してもよく、Ｔ本の物理アンテナに対して、Ｔ個の重みの第２のプリコーディングベクトルにより、第２の仮想アンテナを形成してもよい。第１のプリコーディングベクトルは、第２のプリコーディングベクトルと直交してもよい。
【００７４】
図１０は、ワイヤレス通信システム中でデータを送るプロセス１０００の設計を示す。プロセス１０００は、（以下で記述するように）ＵＥにより実行してもよく、または、他の何らかのエンティティにより実行してもよい。ＵＥは、少なくとも１つの情報ビットを処理して、（ｉ）第１の送信アンテナに対する、第１の組の少なくとも１つの変調シンボルと、（ｉｉ）第２の送信アンテナに対する、第２の組の少なくとも１つの変調シンボルと、を取得してもよい（ブロック１０１２）。一般に、情報ビットは、例えば、制御データや、トラフィックデータなどのような任意のタイプのデータに対するものであってもよい。１つの設計において、情報ビットは、ＣＱＩ情報、ＡＣＫ情報、スケジューリング要求、他の何らかの情報、または、これらの組み合わせに対するものであってもよい。
【００７５】
ＵＥは、さまざまな方法で、２本の送信アンテナに対して変調シンボルを発生させてもよい。ブロック１０１２の１つの設計において、例えば、図６Ｃ中で示されているように、ＵＥは、情報ビットをエンコードしてコードビットを取得し、コードビットの第１の部分集合に基づいて、第１の組の変調シンボルを発生させ、コードビットの第２の部分集合に基づいて、第２の組の変調シンボルを発生させてもよい。別の設計において、図６Ｄ中で示されているように、ＵＥは、１つ以上の情報ビットに基づいて第１の組の変調シンボルを発生させてもよく、１つ以上の追加の情報ビットに基づいて第２の組の変調シンボルを発生させてもよい。さらに別の設計において、例えば、図６Ｂ中で示されているように、ＵＥは、情報ビットに基づいて第１の組の変調シンボルを発生させ、情報ビットをインターリーブして、インターリーブされたビットを取得し、インターリーブされたビットに基づいて、第２の組の変調シンボルを発生させてもよい。ＵＥはまた、他の方法で、情報ビットに基づいて変調シンボルを発生させてもよい。
【００７６】
ＵＥは、第１の直交リソースを使用して、第１の送信アンテナから送信する第１の組の少なくとも１つの変調シンボルを処理してもよい（ブロック１０１４）。ＵＥは、第１の直交リソースとは異なる第２の直交リソースを使用して、第２の送信アンテナから送信する第２の組の少なくとも１つの変調シンボルを処理してもよい（ブロック１０１６）。ＵＥは、第１の直交リソースを使用して、第１の送信アンテナから送信する第１の基準信号を処理してもよい（ブロック１０１８）。ＵＥはまた、第２の直交リソースを使用して、第２の送信アンテナから送信する第２の基準信号を処理してもよい（ブロック１０２０）。
【００７７】
第１および第２の直交リソースは、送信のために使用してもよい、任意のタイプのリソースを含んでいてもよい。１つの設計において、第１の直交リソースは、第１のサイクリックシフトに関係付けられている第１の基準信号シーケンスを含んでいてもよい。第２の直交リソースは、第１のサイクリックシフトとは異なる第２のサイクリックシフトに関係付けられている第２の基準信号シーケンスを含んでいてもよい。この設計に対して、等式（２）中で示されているように、ブロック１０１４および１０１６を実行してもよく、等式（３）中で示されているように、ブロック１０１８および１０２０を実行してもよい。別の設計において、第１の直交リソースは、第１の組の、基準信号シーケンスと直交シーケンスとを含んでいてもよく、直交シーケンスは、例えば、データに対する１つの直交シーケンスと、基準信号に対する別の直交シーケンスとである。第２の直交リソースは、第１の組とは異なる、第２の組の、基準信号シーケンスと直交シーケンスとを含んでいてもよい。この設計に対して、等式（４）中で示されているように、ブロック１０１４および１０１６を実行してもよく、等式（５）中で示されているように、ブロック１０１８および１０２０を実行してもよい。
【００７８】
１つの設計において、第１および第２の送信アンテナは、２本の物理アンテナであってもよい。別の設計において、第１の送信アンテナは、第１の組の重みを第１の組の物理アンテナに適用することにより形成される、第１の仮想アンテナであってもよい。第２の送信アンテナは、第２の組の重みを第２の組の物理アンテナに適用することにより形成される、第２の仮想アンテナであってもよい。２本の仮想アンテナはまた、他の方法で形成してもよい。
【００７９】
図１１は、ワイヤレス通信システム中でデータを送る装置１１００の設計を示す。装置１１００は、少なくとも１つの情報ビットを処理して、第１の送信アンテナに対する、第１の組の少なくとも１つの変調シンボルと、第２の送信アンテナに対する、第２の組の少なくとも１つの変調シンボルとを取得するモジュール１１１２と、第１の直交リソースを使用して、第１の送信アンテナから送信する第１の組の少なくとも１つの変調シンボルを処理するモジュール１１１４と、第２の直交リソースを使用して、第２の送信アンテナから送信する第２の組の少なくとも１つの変調シンボルを処理するモジュール１１１６と、第１の直交リソースを使用して、第１の送信アンテナから送信する第１の基準信号を処理するモジュール１１１８と、第２の直交リソースを使用して、第２の送信アンテナから送信する第２の基準信号を処理するモジュール１１２０とを含む。
【００８０】
図１２は、ワイヤレス通信システム中でデータを受信するプロセス１２００の設計を示す。プロセス１２００は、（以下で記述するように）基地局／ｅＮＢにより実行してもよく、または、他の何らかのエンティティにより実行してもよい。ｅＮＢは、第１の直交リソースを使用して第１の送信アンテナから送られた第１の組の少なくとも１つの変調シンボルを受信してもよい（ブロック１２１２）。ｅＮＢはまた、第２の直交リソースを使用して第２の送信アンテナから送られた第２の組の少なくとも１つの変調シンボルを受信してもよい（ブロック１２１４）。ｅＮＢは、第１の直交リソースを使用して第１の送信アンテナから送られた第１の基準信号を受信してもよい（ブロック１２１６）。ｅＮＢはまた、第２の直交リソースを使用して第２の送信アンテナから送られた第２の基準信号を受信してもよい（ブロック１２１８）。ｅＮＢは、第１の基準信号に基づいて、第１の送信アンテナに対する第１のチャネル推定を導出してもよい（ブロック１２２０）。ｅＮＢは、第２の基準信号に基づいて、第２の送信アンテナに対する第２のチャネル推定を導出してもよい（ブロック１２２２）。ｅＮＢは、第１および第２のチャネル推定に基づいて、受信した第１および第２の組の少なくとも１つの変調シンボルを処理して、少なくとも１つの情報ビットを回復してもよい（ブロック１２２４）。
【００８１】
ブロック１２２４の１つの設計において、ｅＮＢは、第１の直交リソースと第１のチャネル推定とに基づいて、受信シンボルを処理して（例えば、逆拡散およびコヒーレントに復調する）、第１の組の少なくとも１つの変調シンボルに対して、第１の変調シンボル推定を取得してもよい。ｅＮＢはまた、第２の直交リソースと第２のチャネル推定とに基づいて、受信シンボルを処理して、第２の組の少なくとも１つの変調シンボルに対して、第２の変調シンボル推定を取得してもよい。結合コーディングスキームに対して、ｅＮＢは、第１および第２の変調シンボル推定をデコードして、第１および第２の直交リソースを使用して送られた少なくとも１つの情報ビットを取得してもよい。独立コーディングスキームに対して、ｅＮＢは、（ｉ）第１の変調シンボル推定をデコードして、第１の直交リソースを使用して送られた少なくとも１つの情報ビットを取得し、（ｉｉ）第２の変調シンボル推定をデコードして、第２の直交リソースを使用して送られた少なくとも１つの追加の情報ビットを取得してもよい。インターリービングスキームに対して、ｅＮＢはさらに、デコーディングからの情報ビットを組み合せて、最終的な情報ビットを取得してもよい。
【００８２】
図１３は、ワイヤレス通信システム中でデータを受信する装置１３００の設計を示す。装置１３００は、第１の直交リソースを使用して第１の送信アンテナから送られた第１の組の少なくとも１つの変調シンボルを受信するモジュール１３１２と、第２の直交リソースを使用して第２の送信アンテナから送られた第２の組の少なくとも１つの変調シンボルを受信するモジュール１３１４と、第１の直交リソースを使用して第１の送信アンテナから送られた第１の基準信号を受信するモジュール１３１６と、第２の直交リソースを使用して第２の送信アンテナから送られた第２の基準信号を受信するモジュール１３１８と、第１の基準信号に基づいて、第１の送信アンテナに対する第１のチャネル推定を導出するモジュール１３２０と、第２の基準信号に基づいて、第２の送信アンテナに対する第２のチャネル推定を導出するモジュール１３２２と、第１および第２のチャネル推定に基づいて、受信した第１および第２の組の少なくとも１つの変調シンボルを処理して、少なくとも１つの情報ビットを回復するモジュール１３２４とを含む。
【００８３】
図１４は、ＳＴＢＣスキームを有するＳＯＲＴＤに基づいてデータを送るプロセス１４００の設計を示す。プロセス１４００は、（以下で記述するように）ＵＥにより実行してもよく、または、他の何らかのエンティティにより実行してもよい。ＵＥは、少なくとも１つの情報ビットを合同でエンコードして、第１および第２の組の変調シンボルを取得してもよい。代わりに、ＵＥは、少なくとも１つの情報ビットをエンコードして、第１の組の変調シンボルを取得してもよく、少なくとも１つの追加の情報ビットをエンコードして、第２の組の変調シンボルを取得してもよい。
【００８４】
ＵＥは、第１の直交リソースを使用して、１対の送信アンテナから２つのシンボル期間中で送信する第１の組の変調シンボルを処理してもよい（ブロック１４１２）。ＵＥは、第２の直交リソースを使用して、１対の送信アンテナから２つのシンボル期間中で送信する第２の組の変調シンボルを処理してもよい（ブロック１４１４）。ＵＥは、ＳＴＢＣにしたがって、第１の組の変調シンボルを処理して、１対の送信アンテナに対する、第１の対のシンボルストリームを取得してもよい。ＵＥはまた、ＳＴＢＣにしたがって、第２の組の変調シンボルを処理して、１対の送信アンテナに対する、第２の対のシンボルストリームを取得してもよい。例えば、等式（１２）ないし（１５）中で示されているように、ＵＥは、第１および第２の対のシンボルストリームを組み合せて、１対の送信アンテナに対する、最終的な１対のシンボルストリームを取得してもよい。
【００８５】
図１５は、ワイヤレス通信システム中でデータを送る装置１５００の設計を示す。装置１５００は、第１の直交リソースを使用して、１対の送信アンテナから２つのシンボル期間中で送信する第１の組の変調シンボルを処理するモジュール１５１２と、第２の直交リソースを使用して、１対の送信アンテナから２つのシンボル期間中で送信する第２の組の変調シンボルを処理するモジュール１５１４とを含む。
【００８６】
図１６は、ワイヤレス通信システム中でデータを受信するプロセス１６００の設計を示す。プロセス１６００は、（以下で記述するように）基地局／ｅＮＢにより実行してもよく、または、他の何らかのエンティティにより実行してもよい。ｅＮＢは、第１の直交リソースを使用して１対の送信アンテナから２つのシンボル期間中で送られた第１の組の変調シンボルを受信してもよい（ブロック１６１２）。ｅＮＢはまた、第２の直交リソースを使用して１対の送信アンテナから２つのシンボル期間中で送られた第２の組の変調シンボルを受信してもよい（ブロック１６１４）。
【００８７】
１つの設計において、ｅＮＢは、第１の直交リソースに基づいて受信シンボルを処理して、第１の検出されたシンボルを取得してもよい。ｅＮＢはまた、第２の直交リソースに基づいて受信シンボルを処理して、第２の検出されたシンボルを取得してもよい。ｅＮＢは、ＳＴＢＣにしたがって、第１の検出されたシンボルを処理して、第１の変調シンボル推定を取得してもよい。ｅＮＢはまた、ＳＴＢＣにしたがって、第２の検出されたシンボルを処理して、第２の変調シンボル推定を取得してもよい。ｅＮＢは、第１の変調シンボル推定をデコードして、第１の直交リソースを使用して送られた少なくとも１つの情報ビットを取得してもよい。ｅＮＢはまた、第２の変調シンボル推定をデコードして、第２の直交リソースを使用して送られた少なくとも１つの追加の情報ビットを取得してもよい。ｅＮＢはまた、第１および第２の変調シンボル推定を合同でデコードして、情報ビットを取得してもよい。
【００８８】
図１７は、ワイヤレス通信システム中でデータを受信する装置１７００の設計を示す。装置１７００は、第１の直交リソースを使用して１対の送信アンテナから２つのシンボル期間中で送られた第１の組の変調シンボルを受信するモジュール１７１２と、第２の直交リソースを使用して１対の送信アンテナから２つのシンボル期間中で送られた第２の組の変調シンボルを受信するモジュール１７１４とを含む。
【００８９】
図１１、１３、１５および１７中のモジュールは、プロセッサ、電子デバイス、ハードウェアデバイス、電子コンポーネント、論理回路、メモリ、ソフトウェアコード、ファームウェアコードなど、または、これらの任意の組合せを含んでいてもよい。
【００９０】
図１８は、基地局／ｅＮＢ１１０およびＵＥ１２０の設計のブロック図を示す。基地局ｅＮＢ１１０およびＵＥ１２０は、図１中の、ｅＮＢのうちの１つと、ＵＥのうちの１つとであってもよい。ＵＥ１２０は、Ｕ本のアンテナ１８３４ａないし１８３４ｕを備えていてもよく、ｅＮＢ１１０は、Ｖ本のアンテナ１８５２ａないし１８５２ｖを備えていてもよく、ここで、一般に、Ｕ≧１およびＶ≧１である。
【００９１】
ＵＥ１２０において、送信プロセッサ１８２０は、データ源１８１２からトラフィックデータを受け取り、１つ以上の変調およびコーディングスキームに基づいて、トラフィックデータを処理し（例えば、エンコードし、インターリーブし、変調する）、トラフィックデータに対する変調シンボルを提供してもよい。送信プロセッサ１８２０はまた、制御装置／プロセッサ１８４０からの制御データ（例えば、ＣＱＩ情報、ＡＣＫ情報、スケジューリング要求など）を処理して、制御データに対する変調シンボルを提供してもよい。送信プロセッサ１８２０は、図５中のエンコーダおよび変調器５２０を実現してもよい。送信（ＴＸ）ＭＩＭＯプロセッサ１８３０は、該当する場合には、送信プロセッサ１８２０からのシンボルに対して空間処理（例えば、プリコーディング）を実行して、Ｕ個の出力シンボルストリームを、Ｕ個の変調器（ＭＯＤ）１８３２ａないし１８３２ｕに提供してもよい。各変調器１８３２は、（例えば、ＳＣ−ＦＤＭＡに対する）それぞれの出力シンボルストリームを処理して、出力サンプルストリームを取得してもよい。各変調器１８３２は、図５中のシーケンス変調器および拡散器５３０を実現してもよい。各変調器１８３２はさらに、出力サンプルストリームを処理して（例えば、アナログに変換し、増幅し、フィルタリングし、アップコンバートする）、アップリンク信号を取得してもよい。変調器１８３２ａないし１８３２ｕからのＵ個のアップリンク信号は、それぞれ、Ｕ本のアンテナ１８３４ａないし１８３４ｕを通して送信してもよい。
【００９２】
ｅＮＢ１１０において、アンテナ１８５２ａないし１８５２ｖは、ＵＥ１２０からアップリンク信号を受信してもよく、受信した信号を、それぞれ、復調器（ＤＥＭＯＤ）１８５４ａないし１８５４ｖに提供してもよい。各復調器１８５４は、それぞれの受信信号を調整して（例えば、フィルタリングし、増幅し、ダウンコンバートし、デジタル化する）、受信サンプルを取得してもよい。各復調器１８５４は、受信サンプルをさらに処理して、入力サンプルを取得してもよい。ＭＩＭＯ検出器１８５６は、すべてのＲ個の復調器１８５４ａないし１８５４ｖから入力シンボルを取得し、該当する場合には、入力シンボルに対してＭＩＭＯ検出を実行し、検出されたシンボルを提供してもよい。受信プロセッサ１８５８は、検出されたシンボルを処理し（例えば、復調し、デインターリーブし、デコードする）、デコードされたトラフィックデータをデータシンク１８６０に提供し、デコードされた制御データを制御装置／プロセッサ１８８０に提供してもよい。
【００９３】
ダウンリンク上で、ｅＮＢにおいて、データ源１８６２からのトラフィックデータと、制御装置／プロセッサ１８８０からの制御データは、送信プロセッサ１８６４により処理され、該当する場合にはＴＸ ＭＩＭＯプロセッサ１８６６によりプリコードされ、変調器１８５４ａないし１８５４ｖにより調整され、ＵＥ１２０に送信されてもよい。ＵＥ１２０において、ｅＮＢ１１０からのダウンリンク信号は、アンテナ１８３４により受信され、復調器１８３２により調整され、該当する場合にはＭＩＭＯ検出器１８３６により処理され、さらに受信プロセッサ１８３８により処理されて、ＵＥ１２０に対して送られたトラフィックデータおよび制御データが取得されてもよい。取得されたデータは、データシンク１８３９に提供されてもよい。
【００９４】
制御装置／プロセッサ１８４０および１８８０は、それぞれ、ＵＥ１２０およびｅＮＢ１１０において動作を指示してもよい。ＵＥ１２０における、プロセッサ１８４０、ならびに／あるいは、他のプロセッサおよびモジュールは、図１０中のプロセス１０００、図１４中のプロセス１４００、および／または、ここで記述した技術に対する他のプロセスを実行または指示してもよい。ｅＮＢ１１０における、プロセッサ１８８０、ならびに／あるいは、他のプロセッサおよびモジュールは、図１２中のプロセス１２００、図１６中のプロセス１６００、および／または、ここで記述した技術に対する他のプロセスを実行または指示してもよい。メモリ１８４２および１８８２は、それぞれ、ＵＥ１２０およびｅＮＢ１１０に対するデータおよびプログラムコードを記憶してもよい。スケジューラ１８４４は、送信に対してＵＥをスケジュールしてもよく、スケジュールされたＵＥに対してリソース（例えば、直交リソース、リソースブロックなど）の割当てを提供してもよい。
【００９５】
さまざまな異なる技術および技法のいずれかを使用して情報および信号を表わしてもよいことを、当業者は理解するであろう。例えば、電圧、電流、電磁波、磁界または磁気粒子、光領域または光粒子、あるいはそれらの任意の組み合わせにより、上の記述を通して参照されているデータ、命令、コマンド、情報、信号、ビット、シンボルおよびチップを表わしてもよい。
【００９６】
電子ハードウェア、コンピュータソフトウェアまたは両方の組み合わせとして、ここでの開示に関して記述したさまざまな実例となる論理ブロック、モジュール、回路およびアルゴリズムステップを実現してもよいことを、当業者はさらに理解するであろう。ハードウェアおよびソフトウェアのこの互換性を明瞭に説明するために、さまざまな実例となるコンポーネント、ブロック、モジュール、回路、およびステップをそれらの機能の点から一般的に上述した。このような機能がハードウェアまたはソフトウェアとして実現されるかどうかは、特定の用途およびシステム全体に課される設計制約に依存する。当業者は、各特定の用途に対して、さまざまな方法で、記述した機能を実現するかもしれないが、そのような実現の決定は、本開示の範囲からの逸脱を生じさせるものとして解釈すべきではない。
【００９７】
汎用プロセッサ、デジタル信号プロセッサ（ＤＳＰ），特定用途向け集積回路（ＡＳＩＣ），フィールドプログラム可能ゲートアレイ（ＦＰＧＡ）または他のプログラム可能論理デバイス、ディスクリートゲートまたはトランジスタ論理、ディスクリートハードウェアコンポーネント、あるいはここで記述した機能を実行するために設計された、これらの任意の組み合わせにより、ここでの開示に関して記述した、さまざまな実例となる、論理ブロック、モジュールおよび回路を実現または実行してもよい。汎用プロセッサはマイクロプロセッサでもよいが、代わりに、プロセッサは任意の従来のプロセッサ、制御装置、マイクロ制御装置、または状態遷移機械であってもよい。計算デバイスの組み合わせ、例えば、ＤＳＰとマイクロプロセッサとの組み合わせ、複数のマイクロプロセッサ、ＤＳＰコアに関連した１つ以上のマイクロプロセッサ、または他の任意のこのような構成として、プロセッサを実現してもよい。
【００９８】
ここでの開示に関して記述した方法またはアルゴリズムのステップを、ハードウェア中で直接、プロセッサにより実行されるソフトウェアモジュール中で、またはその２つの組み合わせ中で具体化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ，または技術的に知られている他の任意の形態の記憶媒体中に存在してもよい。プロセッサが記憶媒体から情報を読み取ることができ、記憶媒体に情報を書き込むことができるように、例示的な記憶媒体はプロセッサに結合されている。代わりに、記憶媒体はプロセッサと一体化されていてもよい。プロセッサおよび記憶媒体は、ＡＳＩＣ中に存在してもよい。ＡＳＩＣはユーザ端末中に存在してもよい。代わりに、プロセッサおよび記憶媒体は、ユーザ端末中にディスクリートコンポーネントとして存在してもよい。
【００９９】
１つ以上の例示的な設計において、記述した機能は、ハードウェア、ソフトウェア、ファームウェア、またはこれらの任意の組み合わせ中で実現してもよい。ソフトウェアにおいて実現する場合、コンピュータ読み取り可能媒体上に、１つ以上の命令またはコードとして、機能を記憶させてもよく、または機能を送信してもよい。コンピュータ読み取り可能媒体は、コンピュータ記憶媒体と、ある場所から別の場所へのコンピュータプログラムの転送を容易にする何らかの媒体を含む通信媒体との両方を含む。記憶媒体は、汎用または特殊用途のコンピュータによりアクセスできる任意の利用可能な媒体であってもよい。一例として、限定ではないが、そのようなコンピュータ読み取り可能媒体は，ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形態で所望のプログラムコード手段を搬送または記憶するために使用でき、そして、汎用用途または特殊用途のコンピュータ、あるいは、汎用用途または特殊用途のプロセッサによりアクセスできる他の任意の媒体を備えることができる。さらに、いくつかの接続は、適切にコンピュータ読み取り可能媒体と呼ばれる。例えば、ソフトウェアが、同軸ケーブル、光ファイバケーブル、ツイストペア線、デジタル加入者線（ＤＳＬ）、または、赤外線、無線、およびマイクロ波のようなワイヤレス技術を使用して、ウェブサイト、サーバまたは他のリモート情報源から送信される場合、同軸ケーブル、光ファイバケーブル、ツイストペア線、ＤＳＬ、または、赤外線、無線、およびマイクロ波のようなワイヤレス技術は、媒体の定義に含まれる。ここで使用されるディスク（Ｄｉｓｋおよびｄｉｓｃ）は、コンパクトディスク（ＣＤ）、レーザーディスク（登録商標）、光ディスク、デジタルバーサタイルディスク（ＤＶＤ）、フロッピー（登録商標）ディスク、およびブルーレイディスクを含み、ディスク（ｄｉｓｋ）は通常、磁気的にデータを再生し、一方、ディスク（ｄｉｓｃ）は、レーザにより光学的にデータを再生する。上述の組み合わせもまた、コンピュータ読み取り可能媒体の範囲内に含まれるべきである。
【０１００】
いかなる当業者であっても本開示を実施しまたは使用できるように、本開示の記述をこれまでに提供している。本開示に対してさまざまな修正が当業者に容易に明らかであり、本開示の精神または範囲から逸脱することなく、ここで規定した一般的な原理を、他のバリエーションに適用してもよい。したがって、本開示は、ここで記述した例および設計に限定されるように意図されていないが、ここで開示した原理および新規な特徴に矛盾しない最も広い範囲に一致すべきである。
なお、以下に、本願出願の当初の特許請求の範囲に記載された発明を付記する。
［Ｃ１］
ワイヤレス通信システム中でデータを送る方法において、
第１の直交リソースを使用して、第１の送信アンテナから送信する第１の組の少なくとも１つの変調シンボルを処理することと、
第２の直交リソースを使用して、第２の送信アンテナから送信する第２の組の少なくとも１つの変調シンボルを処理することとを含む方法。
［Ｃ２］
前記第１の直交リソースを使用して、前記第１の送信アンテナから送信する第１の基準信号を処理することと、
前記第２の直交リソースを使用して、前記第２の送信アンテナから送信する第２の基準信号を処理することとをさらに含むＣ１記載の方法。
［Ｃ３］
前記第１の直交リソースは、第１のサイクリックシフトに関係付けられている第１の基準信号シーケンスを含み、前記第２の直交リソースは、第２のサイクリックシフトに関係付けられている第２の基準信号シーケンスを含むＣ１記載の方法。
［Ｃ４］
前記第１の直交リソースは、第１の組の、基準信号シーケンスと直交シーケンスとを含み、前記第２の直交リソースは、第２の組の、基準信号シーケンスと直交シーケンスとを含むＣ１記載の方法。
［Ｃ５］
チャネル品質インジケータ（ＣＱＩ）情報、または、肯定応答（ＡＣＫ）情報、または、スケジューリング要求、あるいは、これらの組合せに基づいて、前記第１および第２の組の少なくとも１つの変調シンボルを発生させることをさらに含むＣ１記載の方法。
［Ｃ６］
肯定応答（ＡＣＫ）情報の少なくとも１つのビットに基づいて、前記第１の組の少なくとも１つの変調シンボルを発生させることと、
ＡＣＫ情報の少なくとも１つの追加のビットに基づいて、前記第２の組の少なくとも１つの変調シンボルを発生させることとをさらに含むＣ１記載の方法。
［Ｃ７］
情報ビットに基づいて、前記第１の組の少なくとも１つの変調シンボルを発生させることと、
前記情報ビットをインターリーブして、インターリーブされたビットを取得することと、
前記インターリーブされたビットに基づいて、前記第２の組の少なくとも１つの変調シンボルを発生させることとをさらに含むＣ１記載の方法。
［Ｃ８］
少なくとも１つの情報ビットをエンコードして、コードビットを取得することと、
前記コードビットの第１の部分集合に基づいて、前記第１の組の少なくとも１つの変調シンボルを発生させることと、
前記コードビットの第２の部分集合に基づいて、前記第２の組の少なくとも１つの変調シンボルを発生させることとをさらに含むＣ１記載の方法。
［Ｃ９］
少なくとも１つの情報ビットに基づいて、前記第１の組の少なくとも１つの変調シンボルを発生させることと、
少なくとも１つの追加の情報ビットに基づいて、前記第２の組の少なくとも１つの変調シンボルを発生させることとをさらに含むＣ１記載の方法。
［Ｃ１０］
第１の組の重みを第１の組の物理アンテナに適用して、前記第１の送信アンテナを形成することと、
第２の組の重みを第２の組の物理アンテナに適用して、前記第２の送信アンテナを形成することとをさらに含むＣ１記載の方法。
［Ｃ１１］
ワイヤレス通信のための装置において、
第１の直交リソースを使用して、第１の送信アンテナから送信する第１の組の少なくとも１つの変調シンボルを処理する手段と、
第２の直交リソースを使用して、第２の送信アンテナから送信する第２の組の少なくとも１つの変調シンボルを処理する手段とを具備する装置。
［Ｃ１２］
前記第１の直交リソースを使用して、前記第１の送信アンテナから送信する第１の基準信号を処理する手段と、
前記第２の直交リソースを使用して、前記第２の送信アンテナから送信する第２の基準信号を処理する手段とをさらに具備するＣ１１記載の装置。
［Ｃ１３］
少なくとも１つの情報ビットをエンコードして、コードビットを取得する手段と、
前記コードビットの第１の部分集合に基づいて、前記第１の組の少なくとも１つの変調シンボルを発生させる手段と、
前記コードビットの第２の部分集合に基づいて、前記第２の組の少なくとも１つの変調シンボルを発生させる手段とをさらに具備するＣ１１記載の装置。
［Ｃ１４］
少なくとも１つの情報ビットに基づいて、前記第１の組の少なくとも１つの変調シンボルを発生させる手段と、
少なくとも１つの追加の情報ビットに基づいて、前記第２の組の少なくとも１つの変調シンボルを発生させる手段とをさらに具備するＣ１１記載の装置。
［Ｃ１５］
ワイヤレス通信のための装置において、
第１の直交リソースを使用して、第１の送信アンテナから送信する第１の組の少なくとも１つの変調シンボルを処理し、第２の直交リソースを使用して、第２の送信アンテナから送信する第２の組の少なくとも１つの変調シンボルを処理するように構成されている少なくとも１つのプロセッサを具備する装置。
［Ｃ１６］
前記少なくとも１つのプロセッサは、前記第１の直交リソースを使用して、前記第１の送信アンテナから送信する第１の基準信号を処理し、前記第２の直交リソースを使用して、前記第２の送信アンテナから送信する第２の基準信号を処理するように構成されているＣ１５記載の装置。
［Ｃ１７］
前記少なくとも１つのプロセッサは、少なくとも１つの情報ビットをエンコードして、コードビットを取得し、前記コードビットの第１の部分集合に基づいて、前記第１の組の少なくとも１つの変調シンボルを発生させ、前記コードビットの第２の部分集合に基づいて、前記第２の組の少なくとも１つの変調シンボルを発生させるように構成されているＣ１５記載の装置。
［Ｃ１８］
前記少なくとも１つのプロセッサは、少なくとも１つの情報ビットに基づいて、前記第１の組の少なくとも１つの変調シンボルを発生させ、少なくとも１つの追加の情報ビットに基づいて、前記第２の組の少なくとも１つの変調シンボルを発生させるように構成されているＣ１５記載の装置。
［Ｃ１９］
コンピュータプログラムプロダクトにおいて、
コンピュータ読取り可能媒体を具備し、
前記コンピュータ読取り可能媒体は、
少なくとも１つのプロセッサに、第１の直交リソースを使用して、第１の送信アンテナから送信する第１の組の少なくとも１つの変調シンボルを処理させるためのコードと、
前記少なくとも１つのプロセッサに、第２の直交リソースを使用して、第２の送信アンテナから送信する第２の組の少なくとも１つの変調シンボルを処理させるためのコードとを含むコンピュータプログラムプロダクト。
［Ｃ２０］
ワイヤレス通信システム中でデータを受信する方法において、
第１の直交リソースを使用して第１の送信アンテナから送られた第１の組の少なくとも１つの変調シンボルを受信することと、
第２の直交リソースを使用して第２の送信アンテナから送られた第２の組の少なくとも１つの変調シンボルを受信することとを含む方法。
［Ｃ２１］
前記第１の直交リソースを使用して前記第１の送信アンテナから送られた第１の基準信号を受信することと、
前記第２の直交リソースを使用して前記第２の送信アンテナから送られた第２の基準信号を受信することと、
前記第１の基準信号に基づいて、前記第１の送信アンテナに対する第１のチャネル推定を導出することと、
前記第２の基準信号に基づいて、前記第２の送信アンテナに対する第２のチャネル推定を導出することとをさらに含むＣ２０記載の方法。
［Ｃ２２］
前記第１の直交リソースに基づいて受信シンボルを処理して、前記第１の組の少なくとも１つの変調シンボルに対して、第１の変調シンボル推定を取得することと、
前記第２の直交リソースに基づいて前記受信シンボルを処理して、前記第２の組の少なくとも１つの変調シンボルに対して、第２の変調シンボル推定を取得することと、
前記第１および第２の変調シンボル推定をデコードして、少なくとも１つの情報ビットを取得することとをさらに含むＣ２０記載の方法。
［Ｃ２３］
前記第１の直交リソースに基づいて受信シンボルを処理して、前記第１の組の少なくとも１つの変調シンボルに対して、第１の変調シンボル推定を取得することと、
前記第２の直交リソースに基づいて前記受信シンボルを処理して、前記第２の組の少なくとも１つの変調シンボルに対して、第２の変調シンボル推定を取得することと、
前記第１の変調シンボル推定をデコードして、少なくとも１つの情報ビットを取得することと、
前記第２の変調シンボル推定をデコードして、少なくとも１つの追加の情報ビットを取得することとをさらに含むＣ２０記載の方法。
［Ｃ２４］
ワイヤレス通信のための装置において、
第１の直交リソースを使用して第１の送信アンテナから送られた第１の組の少なくとも１つの変調シンボルを受信する手段と、
第２の直交リソースを使用して第２の送信アンテナから送られた第２の組の少なくとも１つの変調シンボルを受信する手段とを具備する装置。
［Ｃ２５］
前記第１の直交リソースを使用して前記第１の送信アンテナから送られた第１の基準信号を受信する手段と、
前記第２の直交リソースを使用して前記第２の送信アンテナから送られた第２の基準信号を受信する手段と、
前記第１の基準信号に基づいて、前記第１の送信アンテナに対する第１のチャネル推定を導出する手段と、
前記第２の基準信号に基づいて、前記第２の送信アンテナに対する第２のチャネル推定を導出する手段とをさらに具備するＣ２４記載の装置。
［Ｃ２６］
前記第１の直交リソースに基づいて受信シンボルを処理して、前記第１の組の少なくとも１つの変調シンボルに対して、第１の変調シンボル推定を取得する手段と、
前記第２の直交リソースに基づいて前記受信シンボルを処理して、前記第２の組の少なくとも１つの変調シンボルに対して、第２の変調シンボル推定を取得する手段と、
前記第１および第２の変調シンボル推定をデコードして、少なくとも１つの情報ビットを取得する手段とをさらに具備するＣ２４記載の装置。
［Ｃ２７］
前記第１の直交リソースに基づいて受信シンボルを処理して、前記第１の組の少なくとも１つの変調シンボルに対して、第１の変調シンボル推定を取得する手段と、
前記第２の直交リソースに基づいて前記受信シンボルを処理して、前記第２の組の少なくとも１つの変調シンボルに対して、第２の変調シンボル推定を取得する手段と、
前記第１の変調シンボル推定をデコードして、少なくとも１つの情報ビットを取得する手段と、
前記第２の変調シンボル推定をデコードして、少なくとも１つの追加の情報ビットを取得する手段とをさらに具備するＣ２４記載の装置。
［Ｃ２８］
ワイヤレス通信システム中でデータを送る方法において、
第１の直交リソースを使用して、１対の送信アンテナから２つのシンボル期間中で送信する第１の組の変調シンボルを処理することと、
第２の直交リソースを使用して、前記１対の送信アンテナから前記２つのシンボル期間中で送信する第２の組の変調シンボルを処理することとを含む方法。
［Ｃ２９］
前記第１の組の変調シンボルを処理することは、時空間ブロックコード（ＳＴＢＣ）にしたがって、前記第１の組の変調シンボルを処理して、前記１対の送信アンテナから送信する第１の対のシンボルストリームを取得することを含み、前記第２の組の変調シンボルを処理することは、ＳＴＢＣにしたがって、前記第２の組の変調シンボルを処理して、前記１対の送信アンテナから送信する第２の対のシンボルストリームを取得することを含むＣ２８記載の方法。
［Ｃ３０］
少なくとも１つの情報ビットをエンコードして、コードビットを取得することと、
前記コードビットの第１の部分集合に基づいて、前記第１の組の変調シンボルを発生させることと、
前記コードビットの第２の部分集合に基づいて、前記第２の組の変調シンボルを発生させることとをさらに含むＣ２８記載の方法。
［Ｃ３１］
少なくとも１つの情報ビットに基づいて、前記第１の組の変調シンボルを発生させることと、
少なくとも１つの追加の情報ビットに基づいて、前記第２の組の変調シンボルを発生させることとをさらに含むＣ２８記載の方法。
［Ｃ３２］
ワイヤレス通信のための装置において、
第１の直交リソースを使用して、１対の送信アンテナから２つのシンボル期間中で送信する第１の組の変調シンボルを処理する手段と、
第２の直交リソースを使用して、前記１対の送信アンテナから前記２つのシンボル期間中で送信する第２の組の変調シンボルを処理する手段とを具備する装置。
［Ｃ３３］
前記第１の組の変調シンボルを処理する手段は、時空間ブロックコード（ＳＴＢＣ）にしたがって、前記第１の組の変調シンボルを処理して、前記１対の送信アンテナから送信する第１の対のシンボルストリームを取得する手段を備え、前記第２の組の変調シンボルを処理する手段は、ＳＴＢＣにしたがって、前記第２の組の変調シンボルを処理して、前記１対の送信アンテナから送信する第２の対のシンボルストリームを取得する手段を備えるＣ３２記載の装置。
［Ｃ３４］
ワイヤレス通信システム中でデータを受信する方法において、
第１の直交リソースを使用して１対の送信アンテナから２つのシンボル期間中で送られた第１の組の変調シンボルを受信することと、
第２の直交リソースを使用して前記１対の送信アンテナから前記２つのシンボル期間中で送られた第２の組の変調シンボルを受信することとを含む方法。
［Ｃ３５］
前記第１の直交リソースに基づいて受信シンボルを処理して、第１の検出されたシンボルを取得することと、
前記第２の直交リソースに基づいて前記受信シンボルを処理して、第２の検出されたシンボルを取得することと、
時空間ブロックコード（ＳＴＢＣ）にしたがって、前記第１の検出されたシンボルを処理して、前記第１の組の変調シンボルに対して、第１の変調シンボル推定を取得することと、
ＳＴＢＣにしたがって、前記第２の検出されたシンボルを処理して、前記第２の組の変調シンボルに対して、第２の変調シンボル推定を取得することとをさらに含むＣ３４記載の方法。
［Ｃ３６］
前記第１の変調シンボル推定をデコードして、前記第１の直交リソースを使用して送られた少なくとも１つの情報ビットを取得することと、
前記第２の変調シンボル推定をデコードして、前記第２の直交リソースを使用して送られた少なくとも１つの追加の情報ビットを取得することとをさらに含むＣ３５記載の方法。
［Ｃ３７］
前記第１および第２の変調シンボル推定をデコードして、前記第１および第２の直交リソースを使用して送られた少なくとも１つの情報ビットを取得することをさらに含むＣ３５記載の方法。
［Ｃ３８］
ワイヤレス通信のための装置において、
第１の直交リソースを使用して１対の送信アンテナから２つのシンボル期間中で送られた第１の組の変調シンボルを受信する手段と、
第２の直交リソースを使用して前記１対の送信アンテナから前記２つのシンボル期間中で送られた第２の組の変調シンボルを受信する手段とを具備する装置。
［Ｃ３９］
前記第１の直交リソースに基づいて受信シンボルを処理して、第１の検出されたシンボルを取得する手段と、
前記第２の直交リソースに基づいて前記受信シンボルを処理して、第２の検出されたシンボルを取得する手段と、
時空間ブロックコード（ＳＴＢＣ）にしたがって、前記第１の検出されたシンボルを処理して、前記第１の組の変調シンボルに対して、第１の変調シンボル推定を取得する手段と、
ＳＴＢＣにしたがって、前記第２の検出されたシンボルを処理して、前記第２の組の変調シンボルに対して、第２の変調シンボル推定を取得する手段とをさらに具備するＣ３８記載の装置。
【図１】
0005889972.tif 000011
【図２】
0005889972.tif 000012
【図３】
0005889972.tif 000013
【図４】
0005889972.tif 000014
【図５】
0005889972.tif 000015
【図６Ａ】
0005889972.tif 000016
【図６Ｂ】
0005889972.tif 000017
【図６Ｃ】
0005889972.tif 000018
【図６Ｄ】
0005889972.tif 000019
【図７】
0005889972.tif 000020
【図８】
0005889972.tif 000021
【図９】
0005889972.tif 000022
【図１０】
0005889972.tif 000023
【図１１】
0005889972.tif 000024
【図１２】
0005889972.tif 000025
【図１３】
0005889972.tif 000026
【図１４】
0005889972.tif 000027
【図１５】
0005889972.tif 000028
【図１６】
0005889972.tif 000029
【図１７】
0005889972.tif 000030
【図１８】
0005889972.tif 000031